(57)【要約】【課題】制御情報のオーバヘッドの低減と、端末装置に対する柔軟な制御とを、両立させることが可能な仕組みを提供する。【解決手段】ひとつ以上の端末装置を含む端末グループに固有の情報を含む第一の制御情報を前記端末グループへ送信し、前記端末グループに固有の情報に基づいて第二の制御情報を前記端末グループへ送信する送信処理部、を備える基地局装置。【選択図】図２１
2018110357.tif 000002
【特許請求の範囲】
【請求項１】
ひとつ以上の端末装置を含む端末グループに固有の情報を含む第一の制御情報を前記端末グループへ送信し、前記端末グループに固有の情報に基づいて第二の制御情報を前記端末グループへ送信する送信処理部、
を備える基地局装置。
【請求項２】
前記端末グループには、所定のセルに接続する複数の端末装置の一部が属する、請求項１に記載の基地局装置。
【請求項３】
前記端末グループに固有の情報は、前記端末グループに属する複数の前記端末装置が受信可能なビームに固有の情報である、請求項１に記載の基地局装置。
【請求項４】
前記ビームに固有の情報は、前記ビームを用いて送信される同期信号ブロックのインデックスである、請求項３に記載の基地局装置。
【請求項５】
前記第一の制御情報は、前記第二の制御情報を運ぶ物理チャネルに関する情報を含む、請求項１に記載の基地局装置。
【請求項６】
前記第二の制御情報を運ぶ物理チャネルは、前記端末グループに固有の情報に基づいて暗号化又は符号化される、請求項１に記載の基地局装置。
【請求項７】
前記第一の制御情報は、報知チャネルで送信され、前記第二の制御情報は、報知チャネルとは異なる物理チャネルで送信される、請求項１に記載の基地局装置。
【請求項８】
前記基地局装置は、制御情報を送信するよう要求する制御情報要求を受信する受信処理部をさらに備え、
前記送信処理部は、前記制御情報要求に基づく第三の制御情報を前記制御情報要求の送信元の前記端末装置が属する前記端末グループへ送信する、請求項１に記載の基地局装置。
【請求項９】
自身を含むひとつ以上の端末装置が属する端末グループへ送信された、前記端末グループに固有の情報を含む第一の制御情報を受信し、前記端末グループへ送信された第二の制御情報を前記端末グループに固有の情報に基づいて受信する受信処理部、
を備える端末装置。
【請求項１０】
前記端末装置は、制御情報を送信するよう要求する制御情報要求を送信する送信処理部をさらに備え、
前記受信処理部は、前記端末グループへ送信される、前記制御情報要求に基づく第三の制御情報を受信する、請求項９に記載の端末装置。
【請求項１１】
前記送信処理部は、前記端末装置がアイドルモード又はインアクティブモードである場合、ランダムアクセスプリアンブルを送信するための物理チャネルにおいて前記制御情報要求を送信する、請求項１０に記載の端末装置。
【請求項１２】
前記送信処理部は、要求する制御情報に対応するランダムアクセスプリアンブルを送信する、請求項１１に記載の端末装置。
【請求項１３】
前記送信処理部は、要求する制御情報に対応するリソースでランダムアクセスプリアンブルを送信する、請求項１１に記載の端末装置。
【請求項１４】
前記受信処理部は、前記端末グループに固有の情報に基づいて前記第二の制御情報を運ぶ物理チャネルを復号化する、請求項１０に記載の端末装置。
【請求項１５】
ひとつ以上の端末装置を含む端末グループに固有の情報を含む第一の制御情報を前記端末グループへ送信することと、
前記端末グループに固有の情報に基づいて第二の制御情報を前記端末グループへ送信することと、
を含む、プロセッサにより実行される方法。
【請求項１６】
自身を含むひとつ以上の端末装置が属する端末グループへ送信された、前記端末グループに固有の情報を含む第一の制御情報を受信することと、
前記端末グループへ送信された第二の制御情報を前記端末グループに固有の情報に基づいて受信することと、
を含む、プロセッサにより実行される方法。
【請求項１７】
コンピュータを、
ひとつ以上の端末装置を含む端末グループに固有の情報を含む第一の制御情報を前記端末グループへ送信し、前記端末グループに固有の情報に基づいて第二の制御情報を前記端末グループへ送信する送信処理部、
として機能させるためのプログラムが記録された記録媒体。
【請求項１８】
コンピュータを、
自身を含むひとつ以上の端末装置が属する端末グループへ送信された、前記端末グループに固有の情報を含む第一の制御情報を受信し、前記端末グループへ送信された第二の制御情報を前記端末グループに固有の情報に基づいて受信する受信処理部、
として機能させるためのプログラムが記録された記録媒体。
【発明の詳細な説明】
【技術分野】
【０００１】
本開示は、基地局装置、端末装置、方法及び記録媒体に関する。
【背景技術】
【０００２】
セルラー移動通信の無線アクセス方式および無線ネットワーク（以下、「Long  Term  Evolution（LTE）」、「LTE-Advanced（LTE-A）」、「LTE-Advanced  Pro（LTE-A  Pro）」、「New  Radio（NR）」、「New  Radio  Access  Technology（NRAT）」、「Evolved  Universal  Terrestrial  Radio  Access（EUTRA）」、または「Further  EUTRA（FEUTRA）」とも称する。）が、第三世代パートナーシッププロジェクト（3rd  Generation  Partnership  Project:  3GPP）において検討されている。なお、以下の説明において、ＬＴＥは、LTE-A、LTE-A  Pro、およびEUTRAを含み、ＮＲは、NRAT、およびFEUTRAを含む。ＬＴＥおよびＮＲでは、基地局装置（基地局）はｅＮｏｄｅＢ（evolved  NodeB）、端末装置（移動局、移動局装置、端末）はＵＥ（User  Equipment）とも称する。ただし、基地局装置は、ｇＮｏｄｅＢ又はｇＮＢとも称される場合がある。ＬＴＥおよびＮＲは、基地局装置がカバーするエリアをセル状に複数配置するセルラー通信システムである。単一の基地局装置は複数のセルを管理してもよい。
【０００３】
ＮＲは、ＬＴＥに対する次世代の無線アクセス方式として、ＬＴＥとは異なるＲＡＴ（Radio  Access  Technology）である。ＮＲは、ｅＭＢＢ（Enhanced  mobile  broadband）、ｍＭＴＣ（Massive  machine  type  communications）およびＵＲＬＬＣ（Ultra  reliable  and  low  latency  communications）を含む様々なユースケースに対応できるアクセス技術である。ＮＲは、それらのユースケースにおける利用シナリオ、要求条件、および配置シナリオなどに対応する技術フレームワークを目指して検討される。ＮＲのシナリオや要求条件の詳細は、非特許文献１に開示されている。
【０００４】
無線アクセス方式において、基地局装置がセル内の複数端末装置に対して報知される設定であるシステム情報（system  information）が用いられる。システム情報には、そのセルへの初期接続に用いられる情報や、セル選択に関する情報が少なくとも含まれる。端末装置共通に通知されることで、端末装置個別に通知する場合と比べて制御情報のオーバヘッドが低減される。システム情報の詳細は、非特許文献２に開示されている。
【先行技術文献】
【非特許文献】
【０００５】
【非特許文献１】3rd  Generation  Partnership  Project;  Technical  Specification  Group  Radio  Access  Network;  Study  on  Scenarios  and  Requirements  for  Next  Generation  Access  Technologies;  (Release  14),  3GPP  TR  38.913  V0.3.0  (2016-03).<http://www.3gpp.org/ftp/Specs/archive/38_series/38.913/38913-030.zip>
【非特許文献２】R2-164006,  “Requirements  for  System  Information  distribution”,  Ericsson,  RAN2#94,  May  2016.<http://www.3gpp.org/ftp/tsg_ran/WG2_RL2/TSGR2_94/Docs/R2-164006.zip>
【発明の概要】
【発明が解決しようとする課題】
【０００６】
典型的には、無線アクセス技術において、複数の端末装置に共通なシステム情報の伝送は、制御情報のオーバヘッドの低減に貢献するが、個々の端末装置に対する柔軟な制御を行うことを困難にする。一方で、端末装置に固有なシステム情報の伝送は、柔軟な制御を行うことを容易にするが、オーバヘッドの増加を招く。
【０００７】
そこで、本開示では、制御情報のオーバヘッドの低減と、端末装置に対する柔軟な制御とを、両立させることが可能な仕組みを提供する。
【課題を解決するための手段】
【０００８】
本開示によれば、ひとつ以上の端末装置を含む端末グループに固有の情報を含む第一の制御情報を前記端末グループへ送信し、前記端末グループに固有の情報に基づいて第二の制御情報を前記端末グループへ送信する送信処理部、を備える基地局装置が提供される。
【０００９】
また、本開示によれば、自身を含むひとつ以上の端末装置が属する端末グループへ送信された、前記端末グループに固有の情報を含む第一の制御情報を受信し、前記端末グループへ送信された第二の制御情報を前記端末グループに固有の情報に基づいて受信する受信処理部、を備える端末装置が提供される。
【００１０】
また、本開示によれば、ひとつ以上の端末装置を含む端末グループに固有の情報を含む第一の制御情報を前記端末グループへ送信することと、前記端末グループに固有の情報に基づいて第二の制御情報を前記端末グループへ送信することと、を含む、プロセッサにより実行される方法が提供される。
【００１１】
また、本開示によれば、自身を含むひとつ以上の端末装置が属する端末グループへ送信された、前記端末グループに固有の情報を含む第一の制御情報を受信することと、前記端末グループへ送信された第二の制御情報を前記端末グループに固有の情報に基づいて受信することと、を含む、プロセッサにより実行される方法が提供される。
【００１２】
また、本開示によれば、コンピュータを、ひとつ以上の端末装置を含む端末グループに固有の情報を含む第一の制御情報を前記端末グループへ送信し、前記端末グループに固有の情報に基づいて第二の制御情報を前記端末グループへ送信する送信処理部、として機能させるためのプログラムが記録された記録媒体が提供される。
【００１３】
また、本開示によれば、コンピュータを、自身を含むひとつ以上の端末装置が属する端末グループへ送信された、前記端末グループに固有の情報を含む第一の制御情報を受信し、前記端末グループへ送信された第二の制御情報を前記端末グループに固有の情報に基づいて受信する受信処理部、として機能させるためのプログラムが記録された記録媒体が提供される。
【００１４】
本開示によれば、第一の制御情報及び第二の制御情報が、ひとつ以上の端末装置が属する端末グループへ送信される。よって、基地局装置は、端末グループに共通する制御情報を一度の送信により複数の端末装置に通知することが可能となる。従って、端末装置ごとに制御情報を通知する場合と比較して制御情報のオーバヘッドを低減させることが可能となり、且つ、全ての端末装置に対して同一の制御情報を送信する場合と比較して柔軟な制御を行うことが可能となる。
【発明の効果】
【００１５】
以上説明したように本開示によれば、制御情報のオーバヘッドの低減と、端末装置に対する柔軟な制御とを、両立させることが可能な仕組みが提供される。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１６】
【図１】本実施形態におけるコンポーネントキャリアの設定の一例を示す図である。
【図２】本実施形態におけるコンポーネントキャリアの設定の一例を示す図である。
【図３】本実施形態におけるＬＴＥの下りリンクサブフレームの一例を示す図である。
【図４】本実施形態におけるＬＴＥの上りリンクサブフレームの一例を示す図である。
【図５】ＮＲセルにおける送信信号に関するパラメータセットの一例を示す図である。
【図６】本実施形態におけるＮＲの下りリンクサブフレームの一例を示す図である。
【図７】本実施形態におけるＮＲの上りリンクサブフレームの一例を示す図である。
【図８】本実施形態の基地局装置の構成を示す概略ブロック図である。
【図９】本実施形態の端末装置の構成を示す概略ブロック図である。
【図１０】本実施形態における自己完結型送信のフレーム構成の一例を示す図である。
【図１１】本実施形態におけるデジタルアンテナ構成の一例を示す概略ブロック図である。
【図１２】本実施形態におけるアナログアンテナ構成の一例を示す概略ブロック図である。
【図１３】本実施形態における単一ビーム運用の一例を説明するための図である。
【図１４】本実施形態における複数ビーム運用の一例を説明するための図である。
【図１５】本実施形態における端末装置の初期接続プロシージャの一例を示すフローチャートである。
【図１６】本実施形態における同期信号ブロックの構成の一例を示す図である。
【図１７】本実施形態における同期信号ブロックの構成の一例を示す図である。
【図１８】本実施形態における同期信号バーストおよび同期信号バーストセットの構成の一例を示す図である。
【図１９】本実施形態における同期信号バーストの際の同期信号ブロックの構成の一例を示す図である。
【図２０】本実施形態における同期信号バーストの際の同期信号ブロックの構成の一例を示す図である。
【図２１】本実施形態における同期信号ブロックに対応するシステム情報の一例を示す図である。
【図２２】本実施形態における同期信号ブロックに対応するシステム情報の送信処理の流れの一例を示すシーケンス図である。
【図２３】本実施形態におけるシステム情報要求に対応するシステム情報の一例を示す図である。
【図２４】本実施形態におけるシステム情報要求に対応するシステム情報の送信処理の流れの一例を示すシーケンス図である。
【図２５】ｅＮＢの概略的な構成の第１の例を示すブロック図である。
【図２６】ｅＮＢの概略的な構成の第２の例を示すブロック図である。
【図２７】スマートフォンの概略的な構成の一例を示すブロック図である。
【図２８】カーナビゲーション装置の概略的な構成の一例を示すブロック図である。
【発明を実施するための形態】
【００１７】
以下に添付図面を参照しながら、本開示の好適な実施の形態について詳細に説明する。なお、本明細書及び図面において、実質的に同一の機能構成を有する構成要素については、同一の符号を付することにより重複説明を省略する。また、特に明記されない限り、以下で説明される技術、機能、方法、構成、手順、およびその他全ての記載は、ＬＴＥおよびＮＲに適用できる。
【００１８】
なお、説明は以下の順序で行うものとする。
１．はじめに
２．技術的特徴
３．応用例
４．まとめ
【００１９】
＜＜１．はじめに＞＞
＜本実施形態における無線通信システム＞
本実施形態において、無線通信システムは、基地局装置１および端末装置２を少なくとも具備する。基地局装置１は複数の端末装置を収容できる。基地局装置１は、他の基地局装置とＸ２インタフェースの手段によって互いに接続できる。また、基地局装置１は、Ｓ１インタフェースの手段によってＥＰＣ（Evolved  Packet  Core）に接続できる。さらに、基地局装置１は、Ｓ１−ＭＭＥインタフェースの手段によってＭＭＥ（Mobility  Management  Entity）に接続でき、Ｓ１−Ｕインタフェースの手段によってＳ−ＧＷ（Serving  Gateway）に接続できる。Ｓ１インタフェースは、ＭＭＥおよび／またはＳ−ＧＷと基地局装置１との間で、多対多の接続をサポートしている。また、本実施形態において、基地局装置１および端末装置２は、それぞれＬＴＥおよび／またはＮＲをサポートする。
【００２０】
＜本実施形態における無線アクセス技術＞
本実施形態において、基地局装置１および端末装置２は、それぞれ１つ以上の無線アクセス技術（ＲＡＴ）をサポートする。例えば、ＲＡＴは、ＬＴＥおよびＮＲを含む。１つのＲＡＴは、１つのセル（コンポーネントキャリア）に対応する。すなわち、複数のＲＡＴがサポートされる場合、それらのＲＡＴは、それぞれ異なるセルに対応する。本実施形態において、セルは、下りリンクリソース、上りリンクリソース、および／または、サイドリンクの組み合わせである。また、以下の説明において、ＬＴＥに対応するセルはＬＴＥセルと呼称され、ＮＲに対応するセルはＮＲセルと呼称される。
【００２１】
下りリンクの通信は、基地局装置１から端末装置２に対する通信である。下りリンク送信は、基地局装置１から端末装置２に対する送信であり、下りリンク物理チャネルおよび／または下りリンク物理信号の送信である。上りリンクの通信は、端末装置２から基地局装置１に対する通信である。上りリンク送信は、端末装置２から基地局装置１に対する送信であり、上りリンク物理チャネルおよび／または上りリンク物理信号の送信である。サイドリンクの通信は、端末装置２から別の端末装置２に対する通信である。サイドリンク送信は、端末装置２から別の端末装置２に対する送信であり、サイドリンク物理チャネルおよび／またはサイドリンク物理信号の送信である。
【００２２】
サイドリンクの通信は、端末装置間の近接直接検出および近接直接通信のために定義される。サイドリンクの通信は、上りリンクおよび下りリンクと同様なフレーム構成を用いることができる。また、サイドリンクの通信は、上りリンクリソースおよび／または下りリンクリソースの一部（サブセット）に制限されうる。
【００２３】
基地局装置１および端末装置２は、下りリンク、上りリンクおよび／またはサイドリンクにおいて、１つ以上のセルの集合を用いる通信をサポートできる。複数のセルの集合または複数のセルの集合による通信は、キャリアアグリゲーションまたはデュアルコネクティビティとも呼称される。キャリアアグリゲーションとデュアルコネクティビティの詳細は後述される。また、それぞれのセルは、所定の周波数帯域幅を用いる。所定の周波数帯域幅における最大値、最小値および設定可能な値は、予め規定できる。
【００２４】
図１は、本実施形態におけるコンポーネントキャリアの設定の一例を示す図である。図１の例では、１つのＬＴＥセルと２つのＮＲセルが設定される。１つのＬＴＥセルは、プライマリーセルとして設定される。２つのＮＲセルは、それぞれプライマリーセカンダリーセルおよびセカンダリーセルとして設定される。２つのＮＲセルは、キャリアアグリゲーションにより統合される。また、ＬＴＥセルとＮＲセルは、デュアルコネクティビティにより統合される。なお、ＬＴＥセルとＮＲセルは、キャリアアグリゲーションにより統合されてもよい。図１の例では、ＮＲは、プライマリーセルであるＬＴＥセルにより接続をアシストされることが可能であるため、スタンドアロンで通信するための機能のような一部の機能をサポートしなくてもよい。スタンドアロンで通信するための機能は、初期接続に必要な機能を含む。
【００２５】
図２は、本実施形態におけるコンポーネントキャリアの設定の一例を示す図である。図２の例では、２つのＮＲセルが設定される。２つのＮＲセルは、それぞれプライマリーセルおよびセカンダリーセルとして設定され、キャリアアグリゲーションにより統合される。この場合、ＮＲセルがスタンドアロンで通信するための機能をサポートすることにより、ＬＴＥセルのアシストが不要になる。なお、２つのＮＲセルは、デュアルコネクティビティにより統合されてもよい。
【００２６】
＜本実施形態における無線フレーム構成＞
本実施形態において、１０ｍｓ（ミリ秒）で構成される無線フレーム（radio  frame）が規定される。無線フレームのそれぞれは２つのハーフフレームから構成される。ハーフフレームの時間間隔は、５ｍｓである。ハーフフレームのそれぞれは、５つのサブフレームから構成される。サブフレームの時間間隔は、１ｍｓであり、２つの連続するスロットによって定義される。スロットの時間間隔は、０．５ｍｓである。無線フレーム内のｉ番目のサブフレームは、（２×ｉ）番目のスロットと（２×ｉ＋１）番目のスロットとから構成される。つまり、無線フレームのそれぞれにおいて、１０個のサブフレームが規定される。
【００２７】
サブフレームは、下りリンクサブフレーム、上りリンクサブフレーム、スペシャルサブフレームおよびサイドリンクサブフレームなどを含む。
【００２８】
下りリンクサブフレームは下りリンク送信のために予約されるサブフレームである。上りリンクサブフレームは上りリンク送信のために予約されるサブフレームである。スペシャルサブフレームは３つのフィールドから構成される。３つのフィールドは、ＤｗＰＴＳ（Downlink  Pilot  Time  Slot）、ＧＰ（Guard  Period）、およびＵｐＰＴＳ（Uplink  Pilot  Time  Slot）を含む。ＤｗＰＴＳ、ＧＰ、およびＵｐＰＴＳの合計の長さは１ｍｓである。ＤｗＰＴＳは下りリンク送信のために予約されるフィールドである。ＵｐＰＴＳは上りリンク送信のために予約されるフィールドである。ＧＰは下りリンク送信および上りリンク送信が行われないフィールドである。なお、スペシャルサブフレームは、ＤｗＰＴＳおよびＧＰのみによって構成されてもよいし、ＧＰおよびＵｐＰＴＳのみによって構成されてもよい。スペシャルサブフレームは、ＴＤＤにおいて下りリンクサブフレームと上りリンクサブフレームとの間に配置され、下りリンクサブフレームから上りリンクサブフレームに切り替えるために用いられる。サイドリンクサブフレームは、サイドリンク通信のために予約または設定されるサブフレームである。サイドリンクは、端末装置間の近接直接通信および近接直接検出のために用いられる。
【００２９】
単一の無線フレームは、下りリンクサブフレーム、上りリンクサブフレーム、スペシャルサブフレームおよび／またはサイドリンクサブフレームから構成される。また、単一の無線フレームは、下りリンクサブフレーム、上りリンクサブフレーム、スペシャルサブフレームまたはサイドリンクサブフレームのみで構成されてもよい。
【００３０】
複数の無線フレーム構成がサポートされる。無線フレーム構成は、フレーム構成タイプで規定される。フレーム構成タイプ１は、ＦＤＤのみに適用できる。フレーム構成タイプ２は、ＴＤＤのみに適用できる。フレーム構成タイプ３は、ＬＡＡ（Licensed  Assisted  Access）セカンダリーセルの運用のみに適用できる。
【００３１】
フレーム構成タイプ２において、複数の上りリンク−下りリンク構成が規定される。上りリンク−下りリンク構成において、１つの無線フレームにおける１０のサブフレームのそれぞれは、下りリンクサブフレーム、上りリンクサブフレーム、およびスペシャルサブフレームのいずれかに対応する。サブフレーム０、サブフレーム５およびＤｗＰＴＳは常に下りリンク送信のために予約される。ＵｐＰＴＳおよびそのスペシャルサブフレームの直後のサブフレームは常に上りリンク送信のために予約される。
【００３２】
フレーム構成タイプ３において、１つの無線フレーム内の１０のサブフレームが下りリンク送信のために予約される。端末装置２は、ＰＤＳＣＨまたは検出信号が送信されないサブフレームを空のサブフレームとして扱うことができる。端末装置２は、所定の信号、チャネルおよび／または下りリンク送信があるサブフレームで検出されない限り、そのサブフレームにいかなる信号および／またはチャネルも存在しないと想定する。下りリンク送信は、１つまたは複数の連続したサブフレームで専有される。その下りリンク送信の最初のサブフレームは、そのサブフレーム内のどこからでも開始されてもよい。その下りリンク送信の最後のサブフレームは、完全に専有されるか、ＤｗＰＴＳで規定される時間間隔で専有されるか、のいずれかであってもよい。
【００３３】
なお、フレーム構成タイプ３において、１つの無線フレーム内の１０のサブフレームが上りリンク送信のために予約されてもよい。また、１つの無線フレーム内の１０のサブフレームのそれぞれが、下りリンクサブフレーム、上りリンクサブフレーム、スペシャルサブフレームおよびサイドリンクサブフレームのいずれかに対応するようにしてもよい。
【００３４】
基地局装置１は、スペシャルサブフレームのＤｗＰＴＳにおいて、下りリンク物理チャネルおよび下りリンク物理信号を送信してもよい。基地局装置１は、スペシャルサブフレームのＤｗＰＴＳにおいて、ＰＢＣＨの送信を制限できる。端末装置２は、スペシャルサブフレームのＵｐＰＴＳにおいて、上りリンク物理チャネルおよび上りリンク物理信号を送信してもよい。端末装置２は、スペシャルサブフレームのＵｐＰＴＳにおいて、一部の上りリンク物理チャネルおよび上りリンク物理信号の送信を制限できる。
【００３５】
なお、１つの送信における時間間隔はＴＴＩ（Transmission  Time  Interval）と呼称され、ＬＴＥにおいて、１ｍｓ（１サブフレーム）を１ＴＴＩと定義される。
【００３６】
＜本実施形態におけるＬＴＥのフレーム構成＞
図３は、本実施形態におけるＬＴＥの下りリンクサブフレームの一例を示す図である。図３に示される図は、ＬＴＥの下りリンクリソースグリッドとも呼称される。基地局装置１は、端末装置２への下りリンクサブフレームにおいて、ＬＴＥの下りリンク物理チャネルおよび／またはＬＴＥの下りリンク物理信号を送信できる。端末装置２は、基地局装置１からの下りリンクサブフレームにおいて、ＬＴＥの下りリンク物理チャネルおよび／またはＬＴＥの下りリンク物理信号を受信できる。
【００３７】
図４は、本実施形態におけるＬＴＥの上りリンクサブフレームの一例を示す図である。図４に示される図は、ＬＴＥの上りリンクリソースグリッドとも呼称される。端末装置２は、基地局装置１への上りリンクサブフレームにおいて、ＬＴＥの上りリンク物理チャネルおよび／またはＬＴＥの上りリンク物理信号を送信できる。基地局装置１は、端末装置２からの上りリンクサブフレームにおいて、ＬＴＥの上りリンク物理チャネルおよび／またはＬＴＥの上りリンク物理信号を受信できる。
【００３８】
本実施形態において、ＬＴＥの物理リソースは以下のように定義されうる。１つのスロットは複数のシンボルによって定義される。スロットのそれぞれにおいて送信される物理信号または物理チャネルは、リソースグリッドによって表現される。下りリンクにおいて、リソースグリッドは、周波数方向に対する複数のサブキャリアと、時間方向に対する複数のＯＦＤＭシンボルによって定義される。上りリンクにおいて、リソースグリッドは、周波数方向に対する複数のサブキャリアと、時間方向に対する複数のＳＣ−ＦＤＭＡシンボルによって定義される。サブキャリアまたはリソースブロックの数は、セルの帯域幅に依存して決まるようにしてもよい。１つのスロットにおけるシンボルの数は、ＣＰ（Cyclic  Prefix）のタイプによって決まる。ＣＰのタイプは、ノーマルＣＰまたは拡張ＣＰである。ノーマルＣＰにおいて、１つのスロットを構成するＯＦＤＭシンボルまたはＳＣ−ＦＤＭＡシンボルの数は７である。拡張ＣＰにおいて、１つのスロットを構成するＯＦＤＭシンボルまたはＳＣ−ＦＤＭＡシンボルの数は６である。リソースグリッド内のエレメントのそれぞれはリソースエレメントと称される。リソースエレメントは、サブキャリアのインデックス（番号）とシンボルのインデックス（番号）とを用いて識別される。なお、本実施形態の説明において、ＯＦＤＭシンボルまたはＳＣ−ＦＤＭＡシンボルは単にシンボルとも呼称される。
【００３９】
リソースブロックは、ある物理チャネル（ＰＤＳＣＨまたはＰＵＳＣＨなど）をリソースエレメントにマッピングするために用いられる。リソースブロックは、仮想リソースブロックと物理リソースブロックを含む。ある物理チャネルは、仮想リソースブロックにマッピングされる。仮想リソースブロックは、物理リソースブロックにマッピングされる。１つの物理リソースブロックは、時間領域において所定数の連続するシンボルで定義される。１つの物理リソースブロックは、周波数領域において所定数の連続するサブキャリアとから定義される。１つの物理リソースブロックにおけるシンボル数およびサブキャリア数は、そのセルにおけるＣＰのタイプ、サブキャリア間隔および／または上位層によって設定されるパラメータなどに基づいて決まる。例えば、ＣＰのタイプがノーマルＣＰであり、サブキャリア間隔が１５ｋＨｚである場合、１つの物理リソースブロックにおけるシンボル数は７であり、サブキャリア数は１２である。その場合、１つの物理リソースブロックは（７×１２）個のリソースエレメントから構成される。物理リソースブロックは周波数領域において０から番号が付けられる。また、同一の物理リソースブロック番号が対応する、１つのサブフレーム内の２つのリソースブロックは、物理リソースブロックペア（ＰＲＢペア、ＲＢペア）として定義される。
【００４０】
ＬＴＥセルのそれぞれにおいて、あるサブフレームでは、１つの所定のパラメータが用いられる。例えば、その所定のパラメータは、送信信号に関するパラメータ（物理パラメータ）である。送信信号に関するパラメータは、ＣＰ長、サブキャリア間隔、１つのサブフレーム（所定の時間長）におけるシンボル数、１つのリソースブロック（所定の周波数帯域）のおけるサブキャリア数、多元接続方式、および、信号波形などを含む。
【００４１】
すなわち、ＬＴＥセルでは、下りリンク信号および上りリンク信号は、それぞれ所定の時間長（例えば、サブフレーム）において、１つの所定のパラメータを用いて生成される。換言すると、端末装置２は、基地局装置１から送信される下りリンク信号、および、基地局装置１に送信する上りリンク信号が、それぞれ所定の時間長において、１つの所定のパラメータで生成される、と想定する。また、基地局装置１は、端末装置２に送信する下りリンク信号、および、端末装置２から送信される上りリンク信号が、それぞれ所定の時間長において、１つの所定のパラメータで生成されるように設定する。
【００４２】
＜本実施形態におけるＮＲのフレーム構成＞
ＮＲセルのそれぞれにおいて、ある所定の時間長（例えば、サブフレーム）では、１つ以上の所定のパラメータが用いられる。すなわち、ＮＲセルでは、下りリンク信号および上りリンク信号は、それぞれ所定の時間長において、１つ以上の所定のパラメータを用いて生成される。換言すると、端末装置２は、基地局装置１から送信される下りリンク信号、および、基地局装置１に送信する上りリンク信号が、それぞれ所定の時間長において、１つ以上の所定のパラメータで生成される、と想定する。また、基地局装置１は、端末装置２に送信する下りリンク信号、および、端末装置２から送信される上りリンク信号が、それぞれ所定の時間長において、１つ以上の所定のパラメータで生成されるように設定できる。複数の所定のパラメータが用いられる場合、それらの所定のパラメータが用いられて生成される信号は、所定の方法により多重される。例えば、所定の方法は、ＦＤＭ（Frequency  Division  Multiplexing）、ＴＤＭ（Time  Division  Multiplexing）、ＣＤＭ（Code  Division  Multiplexing）および／またはＳＤＭ（Spatial  Division  Multiplexing）などを含む。
【００４３】
ＮＲセルに設定される所定のパラメータの組み合わせは、パラメータセットとして、複数種類を予め規定できる。
【００４４】
図５は、ＮＲセルにおける送信信号に関するパラメータセットの一例を示す図である。図５の例では、パラメータセットに含まれる送信信号に関するパラメータは、サブキャリア間隔、ＮＲセルにおけるリソースブロックあたりのサブキャリア数、サブフレームあたりのシンボル数、および、ＣＰ長タイプである。ＣＰ長タイプは、ＮＲセルで用いられるＣＰ長のタイプである。例えば、ＣＰ長タイプ１はＬＴＥにおけるノーマルＣＰに相当し、ＣＰ長タイプ２はＬＴＥにおける拡張ＣＰに相当する。
【００４５】
ＮＲセルにおける送信信号に関するパラメータセットは、下りリンクおよび上りリンクでそれぞれ個別に規定することができる。また、ＮＲセルにおける送信信号に関するパラメータセットは、下りリンクおよび上りリンクでそれぞれ独立に設定できる。
【００４６】
図６は、本実施形態におけるＮＲの下りリンクサブフレームの一例を示す図である。図６の例では、パラメータセット１、パラメータセット０およびパラメータセット２を用いて生成される信号が、セル（システム帯域幅）において、ＦＤＭされる。図６に示される図は、ＮＲの下りリンクリソースグリッドとも呼称される。基地局装置１は、端末装置２への下りリンクサブフレームにおいて、ＮＲの下りリンク物理チャネルおよび／またはＮＲの下りリンク物理信号を送信できる。端末装置２は、基地局装置１からの下りリンクサブフレームにおいて、ＮＲの下りリンク物理チャネルおよび／またはＮＲの下りリンク物理信号を受信できる。
【００４７】
図７は、本実施形態におけるＮＲの上りリンクサブフレームの一例を示す図である。図７の例では、パラメータセット１、パラメータセット０およびパラメータセット２を用いて生成される信号が、セル（システム帯域幅）において、ＦＤＭされる。図７に示される図は、ＮＲの上りリンクリソースグリッドとも呼称される。基地局装置１は、端末装置２への上りリンクサブフレームにおいて、ＮＲの上りリンク物理チャネルおよび／またはＮＲの上りリンク物理信号を送信できる。端末装置２は、基地局装置１からの上りリンクサブフレームにおいて、ＮＲの上りリンク物理チャネルおよび／またはＮＲの上りリンク物理信号を受信できる。
【００４８】
＜本実施形態におけるアンテナポート＞
アンテナポートは、あるシンボルを運ぶ伝搬チャネルが、同一のアンテナポートにおける別のシンボルを運ぶ伝搬チャネルから推測できるようにするために定義される。例えば、同一のアンテナポートにおける異なる物理リソースは、同一の伝搬チャネルで送信されていると想定できる。すなわち、あるアンテナポートにおけるシンボルは、そのアンテナポートにおける参照信号により伝搬チャネルを推定し、復調することができる。また、アンテナポート毎に１つのリソースグリッドがある。アンテナポートは、参照信号によって定義される。また、それぞれの参照信号は、複数のアンテナポートを定義できる。
【００４９】
アンテナポートはアンテナポート番号によって特定または識別される。例えば、アンテナポート０〜３は、ＣＲＳが送信されるアンテナポートである。すなわち、アンテナポート０〜３で送信されるＰＤＳＣＨは、アンテナポート０〜３に対応するＣＲＳで復調できる。
【００５０】
２つのアンテナポートは所定の条件を満たす場合、準同一位置（ＱＣＬ：Quasi  co-location）であると表すことができる。その所定の条件は、あるアンテナポートにおけるシンボルを運ぶ伝搬チャネルの広域的特性が、別のアンテナポートにおけるシンボルを運ぶ伝搬チャネルから推測できることである。広域的特性は、遅延分散、ドップラースプレッド、ドップラーシフト、平均利得および／または平均遅延を含む。
【００５１】
本実施形態において、アンテナポート番号は、ＲＡＴ毎に異なって定義されてもよいし、ＲＡＴ間で共通に定義されてもよい。例えば、ＬＴＥにおけるアンテナポート０〜３は、ＣＲＳが送信されるアンテナポートである。ＮＲにおいて、アンテナポート０〜３は、ＬＴＥと同様のＣＲＳが送信されるアンテナポートとすることができる。また、ＮＲにおいて、ＬＴＥと同様のＣＲＳが送信されるアンテナポートは、アンテナポート０〜３とは異なるアンテナポート番号とすることができる。本実施形態の説明において、所定のアンテナポート番号は、ＬＴＥおよび／またはＮＲに対して適用できる。
【００５２】
＜本実施形態における物理チャネルおよび物理信号＞
本実施形態において、物理チャネルおよび物理信号が用いられる。
【００５３】
物理チャネルは、下りリンク物理チャネル、上りリンク物理チャネルおよびサイドリンク物理チャネルを含む。物理信号は、下りリンク物理信号、上りリンク物理信号およびサイドリンク物理信号を含む。
【００５４】
ＬＴＥにおける物理チャネルおよび物理信号は、それぞれＬＴＥ物理チャネルおよびＬＴＥ物理信号とも呼称される。ＮＲにおける物理チャネルおよび物理信号は、それぞれＮＲ物理チャネルおよびＮＲ物理信号とも呼称される。ＬＴＥ物理チャネルおよびＮＲ物理チャネルは、それぞれ異なる物理チャネルとして定義できる。ＬＴＥ物理信号およびＮＲ物理信号は、それぞれ異なる物理信号として定義できる。本実施形態の説明において、ＬＴＥ物理チャネルおよびＮＲ物理チャネルは単に物理チャネルとも呼称され、ＬＴＥ物理信号およびＮＲ物理信号は単に物理信号とも呼称される。すなわち、物理チャネルに対する説明は、ＬＴＥ物理チャネルおよびＮＲ物理チャネルのいずれに対しても適用できる。物理信号に対する説明は、ＬＴＥ物理信号およびＮＲ物理信号のいずれに対しても適用できる。
【００５５】
＜本実施形態における下りリンク物理チャネル＞
ＰＢＣＨは、基地局装置１のサービングセルに固有の報知情報であるＭＩＢ（Master  Information  Block）を報知するために用いられる。ＰＢＣＨは無線フレーム内のサブフレーム０のみで送信される。ＭＩＢは、４０ｍｓ間隔で更新できる。ＰＢＣＨは１０ｍｓ周期で繰り返し送信される。具体的には、ＳＦＮ（System  Frame  Number）を４で割った余りが０である条件を満たす無線フレームにおけるサブフレーム０においてＭＩＢの初期送信が行なわれ、他の全ての無線フレームにおけるサブフレーム０においてＭＩＢの再送信（repetition）が行われる。ＳＦＮは無線フレームの番号（システムフレーム番号）である。ＭＩＢはシステム情報である。例えば、ＭＩＢは、ＳＦＮを示す情報を含む。
【００５６】
ＰＣＦＩＣＨは、ＰＤＣＣＨの送信に用いられるＯＦＤＭシンボルの数に関する情報を送信するために用いられる。ＰＣＦＩＣＨで示される領域は、ＰＤＣＣＨ領域とも呼称される。ＰＣＦＩＣＨで送信される情報は、ＣＦＩ（Control  Format  Indicator）とも呼称される。
【００５７】
ＰＤＣＣＨおよびＥＰＤＣＣＨは、下りリンク制御情報（Downlink  Control  Information:  DCI）を送信するために用いられる。下りリンク制御情報の情報ビットのマッピングが、ＤＣＩフォーマットとして定義される。下りリンク制御情報は、下りリンクグラント（downlink  grant）および上りリンクグラント（uplink  grant）を含む。下りリンクグラントは、下りリンクアサインメント（downlink  assignment）または下りリンク割り当て（downlink  allocation）とも称する。
【００５８】
ＰＤＣＣＨは、連続する１つまたは複数のＣＣＥ（Control  Channel  Element）の集合によって送信される。ＣＣＥは、９つのＲＥＧ（Resource  Element  Group）で構成される。ＲＥＧは、４つのリソースエレメントで構成される。ＰＤＣＣＨがｎ個の連続するＣＣＥで構成される場合、そのＰＤＣＣＨは、ＣＣＥのインデックス（番号）であるｉをｎで割った余りが０である条件を満たすＣＣＥから始まる。
【００５９】
ＥＰＤＣＣＨは、連続する１つまたは複数のＥＣＣＥ（Enhanced  Control  Channel  Element）の集合によって送信される。ＥＣＣＥは、複数のＥＲＥＧ（Enhanced  Resource  Element  Group）で構成される。
【００６０】
下りリンクグラントは、あるセル内のＰＤＳＣＨのスケジューリングに用いられる。下りリンクグラントは、その下りリンクグラントが送信されたサブフレームと同じサブフレーム内のＰＤＳＣＨのスケジューリングに用いられる。上りリンクグラントは、あるセル内のＰＵＳＣＨのスケジューリングに用いられる。上りリンクグラントは、その上りリンクグラントが送信されたサブフレームより４つ以上後のサブフレーム内の単一のＰＵＳＣＨのスケジューリングに用いられる。
【００６１】
ＤＣＩには、ＣＲＣ（Cyclic  Redundancy  Check）パリティビットが付加される。ＣＲＣパリティビットは、ＲＮＴＩ（Radio  Network  Temporary  Identifier）でスクランブルされる。ＲＮＴＩは、ＤＣＩの目的などに応じて、規定または設定できる識別子である。ＲＮＴＩは、仕様で予め規定される識別子、セルに固有の情報として設定される識別子、端末装置２に固有の情報として設定される識別子、または、端末装置２に属するグループに固有の情報として設定される識別子である。例えば、端末装置２は、ＰＤＣＣＨまたはＥＰＤＣＣＨのモニタリングにおいて、ＤＣＩに付加されたＣＲＣパリティビットに所定のＲＮＴＩでデスクランブルし、ＣＲＣが正しいかどうかを識別する。ＣＲＣが正しい場合、そのＤＣＩは端末装置２のためのＤＣＩであることが分かる。
【００６２】
ＰＤＳＣＨは、下りリンクデータ（Downlink  Shared  Channel:  DL-SCH）を送信するために用いられる。また、ＰＤＳＣＨは、上位層の制御情報を送信するためにも用いられる。
【００６３】
ＰＤＣＣＨ領域において、複数のＰＤＣＣＨが周波数、時間、および／または、空間多重されてもよい。ＥＰＤＣＣＨ領域において、複数のＥＰＤＣＣＨが周波数、時間、および／または、空間多重されてもよい。ＰＤＳＣＨ領域において、複数のＰＤＳＣＨが周波数、時間、および／または、空間多重されてもよい。ＰＤＣＣＨ、ＰＤＳＣＨおよび／またはＥＰＤＣＣＨは周波数、時間、および／または、空間多重されてもよい。
【００６４】
＜本実施形態における下りリンク物理信号＞
同期信号は、端末装置２が下りリンクの周波数領域および／または時間領域の同期をとるために用いられる。同期信号は、ＰＳＳ（Primary  Synchronization  Signal）およびＳＳＳ（Secondary  Synchronization  Signal）を含む。同期信号は無線フレーム内の所定のサブフレームに配置される。例えば、ＴＤＤ方式において、同期信号は無線フレーム内のサブフレーム０、１、５、および６に配置される。ＦＤＤ方式において、同期信号は無線フレーム内のサブフレーム０および５に配置される。
【００６５】
ＰＳＳは、粗いフレーム／シンボルタイミング同期（時間領域の同期）やセル識別グループの識別に用いられてもよい。ＳＳＳは、より正確なフレームタイミング同期やセルの識別、ＣＰ長の検出に用いられてもよい。つまり、ＰＳＳとＳＳＳを用いることによって、フレームタイミング同期とセル識別を行うことができる。
【００６６】
下りリンク参照信号は、端末装置２が下りリンク物理チャネルの伝搬路推定、伝搬路補正、下りリンクのＣＳＩ（Channel  State  Information、チャネル状態情報）の算出、および／または、端末装置２のポジショニングの測定を行うために用いられる。
【００６７】
ＣＲＳは、サブフレームの全帯域で送信される。ＣＲＳは、ＰＢＣＨ、ＰＤＣＣＨ、ＰＨＩＣＨ、ＰＣＦＩＣＨ、およびＰＤＳＣＨの受信（復調）を行うために用いられる。ＣＲＳは、端末装置２が下りリンクのチャネル状態情報を算出するために用いられてもよい。ＰＢＣＨ、ＰＤＣＣＨ、ＰＨＩＣＨ、およびＰＣＦＩＣＨは、ＣＲＳの送信に用いられるアンテナポートで送信される。ＣＲＳは、１、２または４のアンテナポートの構成をサポートする。ＣＲＳは、アンテナポート０〜３の１つまたは複数で送信される。
【００６８】
ＰＤＳＣＨに関連するＵＲＳは、ＵＲＳが関連するＰＤＳＣＨの送信に用いられるサブフレームおよび帯域で送信される。ＵＲＳは、ＵＲＳが関連するＰＤＳＣＨの復調を行なうために用いられる。ＰＤＳＣＨに関連するＵＲＳは、アンテナポート５、７〜１４の１つまたは複数で送信される。
【００６９】
ＰＤＳＣＨは、送信モードおよびＤＣＩフォーマットに基づいて、ＣＲＳまたはＵＲＳの送信に用いられるアンテナポートで送信される。ＤＣＩフォーマット１Ａは、ＣＲＳの送信に用いられるアンテナポートで送信されるＰＤＳＣＨのスケジューリングに用いられる。ＤＣＩフォーマット２Ｄは、ＵＲＳの送信に用いられるアンテナポートで送信されるＰＤＳＣＨのスケジューリングに用いられる。
【００７０】
ＥＰＤＣＣＨに関連するＤＭＲＳは、ＤＭＲＳが関連するＥＰＤＣＣＨの送信に用いられるサブフレームおよび帯域で送信される。ＤＭＲＳは、ＤＭＲＳが関連するＥＰＤＣＣＨの復調を行なうために用いられる。ＥＰＤＣＣＨは、ＤＭＲＳの送信に用いられるアンテナポートで送信される。ＥＰＤＣＣＨに関連するＤＭＲＳは、アンテナポート１０７〜１１４の１つまたは複数で送信される。
【００７１】
ＣＳＩ−ＲＳは、設定されたサブフレームで送信される。ＣＳＩ−ＲＳが送信されるリソースは、基地局装置１によって設定される。ＣＳＩ−ＲＳは、端末装置２が下りリンクのチャネル状態情報を算出するために用いられる。端末装置２は、ＣＳＩ−ＲＳを用いて信号測定（チャネル測定）を行う。ＣＳＩ−ＲＳは、１、２、４、８、１２、１６、２４および３２の一部または全部のアンテナポートの設定をサポートする。ＣＳＩ−ＲＳは、アンテナポート１５〜４６の１つまたは複数で送信される。なお、サポートされるアンテナポートは、端末装置２の端末装置ケイパビリティ、ＲＲＣパラメータの設定、および／または設定される送信モードなどに基づいて決定されてもよい。
【００７２】
ＺＰ  ＣＳＩ−ＲＳのリソースは、上位層によって設定される。ＺＰ  ＣＳＩ−ＲＳのリソースはゼロ出力の電力で送信されてもよい。すなわち、ＺＰ  ＣＳＩ−ＲＳのリソースは何も送信しなくてもよい。ＺＰ  ＣＳＩ−ＲＳの設定したリソースにおいて、ＰＤＳＣＨおよびＥＰＤＣＣＨは送信されない。例えば、ＺＰ  ＣＳＩ−ＲＳのリソースは隣接セルがＮＺＰ  ＣＳＩ−ＲＳの送信を行うために用いられる。また、例えば、ＺＰ  ＣＳＩ−ＲＳのリソースはＣＳＩ−ＩＭを測定するために用いられる。また、例えば、ＺＰ  ＣＳＩ−ＲＳのリソースはＰＤＳＣＨなどの所定のチャネルが送信されないリソースである。換言すると、所定のチャネルは、ＺＰ  ＣＳＩ−ＲＳのリソースを除いて（レートマッチングして、パンクチャして）マッピングされる。
【００７３】
＜本実施形態における上りリンク物理チャネル＞
ＰＵＣＣＨは、上りリンク制御情報（Uplink  Control  Information:  UCI）を送信するために用いられる物理チャネルである。上りリンク制御情報は、下りリンクのチャネル状態情報（Channel  State  Information:  CSI）、ＰＵＳＣＨリソースの要求を示すスケジューリング要求（Scheduling  Request:  SR）、下りリンクデータ（Transport  block:  TB,  Downlink-Shared  Channel:  DL-SCH）に対するＨＡＲＱ−ＡＣＫを含む。ＨＡＲＱ−ＡＣＫは、ＡＣＫ／ＮＡＣＫ、ＨＡＲＱフィードバック、または、応答情報とも称される。また、下りリンクデータに対するＨＡＲＱ−ＡＣＫは、ＡＣＫ、ＮＡＣＫ、またはＤＴＸを示す。
【００７４】
ＰＵＳＣＨは、上りリンクデータ（Uplink-Shared  Channel:  UL-SCH）を送信するために用いられる物理チャネルである。また、ＰＵＳＣＨは、上りリンクデータと共にＨＡＲＱ−ＡＣＫおよび／またはチャネル状態情報を送信するために用いられてもよい。また、ＰＵＳＣＨは、チャネル状態情報のみ、または、ＨＡＲＱ−ＡＣＫおよびチャネル状態情報のみを送信するために用いられてもよい。
【００７５】
ＰＲＡＣＨは、ランダムアクセスプリアンブルを送信するために用いられる物理チャネルである。ＰＲＡＣＨは、端末装置２が基地局装置１と時間領域の同期をとるために用いられることができる。また、ＰＲＡＣＨは、初期コネクション構築（initial  connection  establishment）手続き（処理）、ハンドオーバ手続き、コネクション再構築（connection  re-establishment）手続き、上りリンク送信に対する同期（タイミング調整）、および／または、ＰＵＳＣＨリソースの要求を示すためにも用いられる。
【００７６】
ＰＵＣＣＨ領域において、複数のＰＵＣＣＨが周波数、時間、空間および／またはコード多重される。ＰＵＳＣＨ領域において、複数のＰＵＳＣＨが周波数、時間、空間および／またはコード多重されてもよい。ＰＵＣＣＨおよびＰＵＳＣＨは周波数、時間、空間および／またはコード多重されてもよい。ＰＲＡＣＨは単一のサブフレームまたは２つのサブフレームにわたって配置されてもよい。複数のＰＲＡＣＨが符号多重されてもよい。
【００７７】
＜本実施形態における上りリンク物理信号＞
ＵＬ−ＤＭＲＳは、ＰＵＳＣＨまたはＰＵＣＣＨの送信に関連する。ＵＬ−ＤＭＲＳは、ＰＵＳＣＨまたはＰＵＣＣＨと時間多重される。基地局装置１は、ＰＵＳＣＨまたはＰＵＣＣＨの伝搬路補正を行うためにＵＬ−ＤＭＲＳを用いてもよい。本実施形態の説明において、ＰＵＳＣＨの送信は、ＰＵＳＣＨとＵＬ−ＤＭＲＳを多重して送信することも含む。本実施形態の説明において、ＰＵＣＣＨの送信は、ＰＵＣＣＨとＵＬ−ＤＭＲＳを多重して送信することも含む。
【００７８】
ＳＲＳは、ＰＵＳＣＨまたはＰＵＣＣＨの送信に関連しない。基地局装置１は、上りリンクのチャネル状態を測定するためにＳＲＳを用いてもよい。
【００７９】
ＳＲＳは上りリンクサブフレーム内の最後のシンボルを用いて送信される。つまり、ＳＲＳは上りリンクサブフレーム内の最後のシンボルに配置される。端末装置２は、あるセルのあるシンボルにおいて、ＳＲＳと、ＰＵＣＣＨ、ＰＵＳＣＨおよび／またはＰＲＡＣＨとの同時送信を制限できる。端末装置２は、あるセルのある上りリンクサブフレームにおいて、その上りリンクサブフレーム内の最後のシンボルを除くシンボルを用いてＰＵＳＣＨおよび／またはＰＵＣＣＨを送信し、その上りリンクサブフレーム内の最後のシンボルを用いてＳＲＳを送信することができる。つまり、あるセルのある上りリンクサブフレームにおいて、端末装置２は、ＳＲＳと、ＰＵＳＣＨおよびＰＵＣＣＨと、を送信することができる。
【００８０】
ＳＲＳにおいて、トリガータイプの異なるＳＲＳとして、トリガータイプ０ＳＲＳおよびトリガータイプ１ＳＲＳが定義される。トリガータイプ０ＳＲＳは、上位層シグナリングによって、トリガータイプ０ＳＲＳに関するパラメータが設定される場合に送信される。トリガータイプ１ＳＲＳは、上位層シグナリングによって、トリガータイプ１ＳＲＳに関するパラメータが設定され、ＤＣＩフォーマット０、１Ａ、２Ｂ、２Ｃ、２Ｄ、または４に含まれるＳＲＳリクエストによって送信が要求された場合に送信される。なお、ＳＲＳリクエストは、ＤＣＩフォーマット０、１Ａ、または４についてはＦＤＤとＴＤＤの両方に含まれ、ＤＣＩフォーマット２Ｂ、２Ｃ、または２ＤについてはＴＤＤにのみ含まれる。同じサービングセルの同じサブフレームでトリガータイプ０ＳＲＳの送信とトリガータイプ１ＳＲＳの送信が生じる場合、トリガータイプ１ＳＲＳの送信が優先される。トリガータイプ０ＳＲＳは、周期的ＳＲＳとも呼称される。トリガータイプ１ＳＲＳは、非周期的ＳＲＳとも呼称される。
【００８１】
＜本実施形態における基地局装置１の構成例＞
図８は、本実施形態の基地局装置１の構成を示す概略ブロック図である。図示するように、基地局装置１は、上位層処理部１０１、制御部１０３、受信部１０５、送信部１０７、および、送受信アンテナ１０９、を含んで構成される。また、受信部１０５は、復号化部１０５１、復調部１０５３、多重分離部１０５５、無線受信部１０５７、およびチャネル測定部１０５９を含んで構成される。また、送信部１０７は、符号化部１０７１、変調部１０７３、多重部１０７５、無線送信部１０７７、および下りリンク参照信号生成部１０７９を含んで構成される。
【００８２】
既に説明したように、基地局装置１は、１つ以上のＲＡＴをサポートできる。図８に示す基地局装置１に含まれる各部の一部または全部は、ＲＡＴに応じて個別に構成されうる。例えば、受信部１０５および送信部１０７は、ＬＴＥとＮＲとで個別に構成される。また、ＮＲセルにおいて、図８に示す基地局装置１に含まれる各部の一部または全部は、送信信号に関するパラメータセットに応じて個別に構成されうる。例えば、あるＮＲセルにおいて、無線受信部１０５７および無線送信部１０７７は、送信信号に関するパラメータセットに応じて個別に構成されうる。
【００８３】
上位層処理部１０１は、媒体アクセス制御（MAC:  Medium  Access  Control）層、パケットデータ統合プロトコル（Packet  Data  Convergence  Protocol:  PDCP）層、無線リンク制御（Radio  Link  Control:  RLC）層、無線リソース制御（Radio  Resource  Control:  RRC）層の処理を行う。また、上位層処理部１０１は、受信部１０５、および送信部１０７の制御を行うために制御情報を生成し、制御部１０３に出力する。
【００８４】
制御部１０３は、上位層処理部１０１からの制御情報に基づいて、受信部１０５および送信部１０７の制御を行う。制御部１０３は、上位層処理部１０１への制御情報を生成し、上位層処理部１０１に出力する。制御部１０３は、復号化部１０５１からの復号化された信号およびチャネル測定部１０５９からのチャネル推定結果を入力する。制御部１０３は、符号化する信号を符号化部１０７１へ出力する。また、制御部１０３は、基地局装置１の全体または一部を制御するために用いられる。
【００８５】
上位層処理部１０１は、ＲＡＴ制御、無線リソース制御、サブフレーム設定、スケジューリング制御、および／または、ＣＳＩ報告制御に関する処理および管理を行う。上位層処理部１０１における処理および管理は、端末装置毎、または基地局装置に接続している端末装置共通に行われる。上位層処理部１０１における処理および管理は、上位層処理部１０１のみで行われてもよいし、上位ノードまたは他の基地局装置から取得してもよい。また、上位層処理部１０１における処理および管理は、ＲＡＴに応じて個別に行われてもよい。例えば、上位層処理部１０１は、ＬＴＥにおける処理および管理と、ＮＲにおける処理および管理とを個別に行う。
【００８６】
上位層処理部１０１におけるＲＡＴ制御では、ＲＡＴに関する管理が行われる。例えば、ＲＡＴ制御では、ＬＴＥに関する管理および／またはＮＲに関する管理が行われる。ＮＲに関する管理は、ＮＲセルにおける送信信号に関するパラメータセットの設定および処理を含む。
【００８７】
上位層処理部１０１における無線リソース制御では、下りリンクデータ（トランスポートブロック）、システムインフォメーション、ＲＲＣメッセージ（ＲＲＣパラメータ）、および／または、ＭＡＣ制御エレメント（ＣＥ：Control  Element）の生成および／または管理が行われる。
【００８８】
上位層処理部１０１におけるサブフレーム設定では、サブフレーム設定、サブフレームパターン設定、上りリンク−下りリンク設定、上りリンク参照ＵＬ−ＤＬ設定、および／または、下りリンク参照ＵＬ−ＤＬ設定の管理が行われる。なお、上位層処理部１０１におけるサブフレーム設定は、基地局サブフレーム設定とも呼称される。また、上位層処理部１０１におけるサブフレーム設定は、上りリンクのトラフィック量および下りリンクのトラフィック量に基づいて決定できる。また、上位層処理部１０１におけるサブフレーム設定は、上位層処理部１０１におけるスケジューリング制御のスケジューリング結果に基づいて決定できる。
【００８９】
上位層処理部１０１におけるスケジューリング制御では、受信したチャネル状態情報およびチャネル測定部１０５９から入力された伝搬路の推定値やチャネルの品質などに基づいて、物理チャネルを割り当てる周波数およびサブフレーム、物理チャネルの符号化率および変調方式および送信電力などが決定される。例えば、制御部１０３は、上位層処理部１０１におけるスケジューリング制御のスケジューリング結果に基づいて、制御情報（ＤＣＩフォーマット）を生成する。
【００９０】
上位層処理部１０１におけるＣＳＩ報告制御では、端末装置２のＣＳＩ報告が制御される。例えば、端末装置２においてＣＳＩを算出するために想定するためのＣＳＩ参照リソースに関する設定が制御される。
【００９１】
受信部１０５は、制御部１０３からの制御に従って、送受信アンテナ１０９を介して端末装置２から送信された信号を受信し、さらに分離、復調、復号などの受信処理を行い、受信処理された情報を制御部１０３に出力する。なお、受信部１０５における受信処理は、あらかじめ規定された設定、または基地局装置１が端末装置２に通知した設定に基づいて行われる。
【００９２】
無線受信部１０５７は、送受信アンテナ１０９を介して受信された上りリンクの信号に対して、中間周波数への変換（ダウンコンバート）、不要な周波数成分の除去、信号レベルが適切に維持されるように増幅レベルの制御、受信された信号の同相成分および直交成分に基づく直交復調、アナログ信号からデジタル信号への変換、ガードインターバル（Guard  Interval:  GI）の除去、および／または、高速フーリエ変換（Fast  Fourier  Transform:  FFT）による周波数領域信号の抽出を行う。
【００９３】
多重分離部１０５５は、無線受信部１０５７から入力された信号から、ＰＵＣＣＨまたはＰＵＳＣＨなどの上りリンクチャネルおよび／または上りリンク参照信号を分離する。多重分離部１０５５は、上りリンク参照信号をチャネル測定部１０５９に出力する。多重分離部１０５５は、チャネル測定部１０５９から入力された伝搬路の推定値から、上りリンクチャネルに対する伝搬路の補償を行う。
【００９４】
復調部１０５３は、上りリンクチャネルの変調シンボルに対して、ＢＰＳＫ（Binary  Phase  Shift  Keying）、ＱＰＳＫ（Quadrature  Phase  shift  Keying）、１６ＱＡＭ（Quadrature  Amplitude  Modulation）、６４ＱＡＭ、２５６ＱＡＭ等の変調方式を用いて受信信号の復調を行う。復調部１０５３は、ＭＩＭＯ多重された上りリンクチャネルの分離および復調を行う。
【００９５】
復号化部１０５１は、復調された上りリンクチャネルの符号化ビットに対して、復号処理を行う。復号された上りリンクデータおよび／または上りリンク制御情報は制御部１０３へ出力される。復号化部１０５１は、ＰＵＳＣＨに対しては、トランスポートブロック毎に復号処理を行う。
【００９６】
チャネル測定部１０５９は、多重分離部１０５５から入力された上りリンク参照信号から伝搬路の推定値および／またはチャネルの品質などを測定し、多重分離部１０５５および／または制御部１０３に出力する。例えば、チャネル測定部１０５９は、ＵＬ−ＤＭＲＳを用いてＰＵＣＣＨまたはＰＵＳＣＨに対する伝搬路補償を行うための伝搬路の推定値を測定し、ＳＲＳを用いて上りリンクにおけるチャネルの品質を測定する。
【００９７】
送信部１０７は、制御部１０３からの制御に従って、上位層処理部１０１から入力された下りリンク制御情報および下りリンクデータに対して、符号化、変調および多重などの送信処理を行う。例えば、送信部１０７は、ＰＨＩＣＨ、ＰＤＣＣＨ、ＥＰＤＣＣＨ、ＰＤＳＣＨ、および下りリンク参照信号を生成および多重し、送信信号を生成する。なお、送信部１０７における送信処理は、あらかじめ規定された設定、基地局装置１が端末装置２に通知した設定、または、同一のサブフレームで送信されるＰＤＣＣＨまたはＥＰＤＣＣＨを通じて通知される設定に基づいて行われる。
【００９８】
符号化部１０７１は、制御部１０３から入力されたＨＡＲＱインディケータ（ＨＡＲＱ−ＡＣＫ）、下りリンク制御情報、および下りリンクデータを、ブロック符号化、畳込み符号化、ターボ符号化等の所定の符号化方式を用いて符号化を行う。変調部１０７３は、符号化部１０７１から入力された符号化ビットをＢＰＳＫ、ＱＰＳＫ、１６ＱＡＭ、６４ＱＡＭ、２５６ＱＡＭ等の所定の変調方式で変調する。下りリンク参照信号生成部１０７９は、物理セル識別子（ＰＣＩ：Physical  cell  identification）、端末装置２に設定されたＲＲＣパラメータなどに基づいて、下りリンク参照信号を生成する。多重部１０７５は、各チャネルの変調シンボルと下りリンク参照信号を多重し、所定のリソースエレメントに配置する。
【００９９】
無線送信部１０７７は、多重部１０７５からの信号に対して、逆高速フーリエ変換（Inverse  Fast  Fourier  Transform:  IFFT）による時間領域の信号への変換、ガードインターバルの付加、ベースバンドのデジタル信号の生成、アナログ信号への変換、直交変調、中間周波数の信号から高周波数の信号への変換（アップコンバート:  up  convert）、余分な周波数成分の除去、電力の増幅などの処理を行い、送信信号を生成する。無線送信部１０７７が出力した送信信号は、送受信アンテナ１０９から送信される。
【０１００】
なお、本実施形態に係る基地局装置１の送信処理部は、送信部１０７、制御部１０３又は上位層処理部１０１の少なくともいずれかに相当し得る。また、本実施形態に係る基地局装置１の受信処理部は、受信部１０５、制御部１０３又は上位層処理部１０１の少なくともいずれかに相当し得る。
【０１０１】
＜本実施形態における端末装置２の構成例＞
図９は、本実施形態の端末装置２の構成を示す概略ブロック図である。図示するように、端末装置２は、上位層処理部２０１、制御部２０３、受信部２０５、送信部２０７、および送受信アンテナ２０９を含んで構成される。また、受信部２０５は、復号化部２０５１、復調部２０５３、多重分離部２０５５、無線受信部２０５７、およびチャネル測定部２０５９を含んで構成される。また、送信部２０７は、符号化部２０７１、変調部２０７３、多重部２０７５、無線送信部２０７７、および上りリンク参照信号生成部２０７９を含んで構成される。
【０１０２】
既に説明したように、端末装置２は、１つ以上のＲＡＴをサポートできる。図９に示す端末装置２に含まれる各部の一部または全部は、ＲＡＴに応じて個別に構成されうる。例えば、受信部２０５および送信部２０７は、ＬＴＥとＮＲとで個別に構成される。また、ＮＲセルにおいて、図９に示す端末装置２に含まれる各部の一部または全部は、送信信号に関するパラメータセットに応じて個別に構成されうる。例えば、あるＮＲセルにおいて、無線受信部２０５７および無線送信部２０７７は、送信信号に関するパラメータセットに応じて個別に構成されうる。
【０１０３】
上位層処理部２０１は、上りリンクデータ（トランスポートブロック）を、制御部２０３に出力する。上位層処理部２０１は、媒体アクセス制御（MAC:  Medium  Access  Control）層、パケットデータ統合プロトコル（Packet  Data  Convergence  Protocol:  PDCP）層、無線リンク制御（Radio  Link  Control:  RLC）層、無線リソース制御（Radio  Resource  Control:  RRC）層の処理を行なう。また、上位層処理部２０１は、受信部２０５、および送信部２０７の制御を行うために制御情報を生成し、制御部２０３に出力する。
【０１０４】
制御部２０３は、上位層処理部２０１からの制御情報に基づいて、受信部２０５および送信部２０７の制御を行う。制御部２０３は、上位層処理部２０１への制御情報を生成し、上位層処理部２０１に出力する。制御部２０３は、復号化部２０５１からの復号化された信号およびチャネル測定部２０５９からのチャネル推定結果を入力する。制御部２０３は、符号化する信号を符号化部２０７１へ出力する。また、制御部２０３は、端末装置２の全体または一部を制御するために用いられてもよい。
【０１０５】
上位層処理部２０１は、ＲＡＴ制御、無線リソース制御、サブフレーム設定、スケジューリング制御、および／または、ＣＳＩ報告制御に関する処理および管理を行う。上位層処理部２０１における処理および管理は、あらかじめ規定される設定、および／または、基地局装置１から設定または通知される制御情報に基づく設定に基づいて行われる。例えば、基地局装置１からの制御情報は、ＲＲＣパラメータ、ＭＡＣ制御エレメントまたはＤＣＩを含む。また、上位層処理部２０１における処理および管理は、ＲＡＴに応じて個別に行われてもよい。例えば、上位層処理部２０１は、ＬＴＥにおける処理および管理と、ＮＲにおける処理および管理とを個別に行う。
【０１０６】
上位層処理部２０１におけるＲＡＴ制御では、ＲＡＴに関する管理が行われる。例えば、ＲＡＴ制御では、ＬＴＥに関する管理および／またはＮＲに関する管理が行われる。ＮＲに関する管理は、ＮＲセルにおける送信信号に関するパラメータセットの設定および処理を含む。
【０１０７】
上位層処理部２０１における無線リソース制御では、自装置における設定情報の管理が行われる。上位層処理部２０１における無線リソース制御では、上りリンクデータ（トランスポートブロック）、システムインフォメーション、ＲＲＣメッセージ（ＲＲＣパラメータ）、および／または、ＭＡＣ制御エレメント（ＣＥ：Control  Element）の生成および／または管理が行われる。
【０１０８】
上位層処理部２０１におけるサブフレーム設定では、基地局装置１および／または基地局装置１とは異なる基地局装置におけるサブフレーム設定が管理される。サブフレーム設定は、サブフレームに対する上りリンクまたは下りリンクの設定、サブフレームパターン設定、上りリンク−下りリンク設定、上りリンク参照ＵＬ−ＤＬ設定、および／または、下りリンク参照ＵＬ−ＤＬ設定を含む。なお、上位層処理部２０１におけるサブフレーム設定は、端末サブフレーム設定とも呼称される。
【０１０９】
上位層処理部２０１におけるスケジューリング制御では、基地局装置１からのＤＣＩ（スケジューリング情報）に基づいて、受信部２０５および送信部２０７に対するスケジューリングに関する制御を行うための制御情報が生成される。
【０１１０】
上位層処理部２０１におけるＣＳＩ報告制御では、基地局装置１に対するＣＳＩの報告に関する制御が行われる。例えば、ＣＳＩ報告制御では、チャネル測定部２０５９でＣＳＩを算出するために想定するためのＣＳＩ参照リソースに関する設定が制御される。ＣＳＩ報告制御では、ＤＣＩおよび／またはＲＲＣパラメータに基づいて、ＣＳＩを報告するために用いられるリソース（タイミング）を制御する。
【０１１１】
受信部２０５は、制御部２０３からの制御に従って、送受信アンテナ２０９を介して基地局装置１から送信された信号を受信し、さらに分離、復調、復号などの受信処理を行い、受信処理された情報を制御部２０３に出力する。なお、受信部２０５における受信処理は、あらかじめ規定された設定、または基地局装置１からの通知または設定に基づいて行われる。
【０１１２】
無線受信部２０５７は、送受信アンテナ２０９を介して受信された上りリンクの信号に対して、中間周波数への変換（ダウンコンバート）、不要な周波数成分の除去、信号レベルが適切に維持されるように増幅レベルの制御、受信された信号の同相成分および直交成分に基づく直交復調、アナログ信号からデジタル信号への変換、ガードインターバル（Guard  Interval:  GI）の除去、および／または、高速フーリエ変換（Fast  Fourier  Transform:  FFT）による周波数領域の信号の抽出を行う。
【０１１３】
多重分離部２０５５は、無線受信部２０５７から入力された信号から、ＰＨＩＣＨ、ＰＤＣＣＨ、ＥＰＤＣＣＨまたはＰＤＳＣＨなどの下りリンクチャネル、下りリンク同期信号および／または下りリンク参照信号を分離する。多重分離部２０５５は、下りリンク参照信号をチャネル測定部２０５９に出力する。多重分離部２０５５は、チャネル測定部２０５９から入力された伝搬路の推定値から、下りリンクチャネルに対する伝搬路の補償を行う。
【０１１４】
復調部２０５３は、下りリンクチャネルの変調シンボルに対して、ＢＰＳＫ、ＱＰＳＫ、１６ＱＡＭ、６４ＱＡＭ、２５６ＱＡＭ等の変調方式を用いて受信信号の復調を行う。復調部２０５３は、ＭＩＭＯ多重された下りリンクチャネルの分離および復調を行う。
【０１１５】
復号化部２０５１は、復調された下りリンクチャネルの符号化ビットに対して、復号処理を行う。復号された下りリンクデータおよび／または下りリンク制御情報は制御部２０３へ出力される。復号化部２０５１は、ＰＤＳＣＨに対しては、トランスポートブロック毎に復号処理を行う。
【０１１６】
チャネル測定部２０５９は、多重分離部２０５５から入力された下りリンク参照信号から伝搬路の推定値および／またはチャネルの品質などを測定し、多重分離部２０５５および／または制御部２０３に出力する。チャネル測定部２０５９が測定に用いる下りリンク参照信号は、少なくともＲＲＣパラメータによって設定される送信モードおよび／または他のＲＲＣパラメータに基づいて決定されてもよい。例えば、ＤＬ−ＤＭＲＳはＰＤＳＣＨまたはＥＰＤＣＣＨに対する伝搬路補償を行うための伝搬路の推定値を測定する。ＣＲＳはＰＤＣＣＨまたはＰＤＳＣＨに対する伝搬路補償を行うための伝搬路の推定値、および／または、ＣＳＩを報告するための下りリンクにおけるチャネルを測定する。ＣＳＩ−ＲＳは、ＣＳＩを報告するための下りリンクにおけるチャネルを測定する。チャネル測定部２０５９は、ＣＲＳ、ＣＳＩ−ＲＳまたは検出信号に基づいて、ＲＳＲＰ（Reference  Signal  Received  Power）および／またはＲＳＲＱ（Reference  Signal  Received  Quality）を算出し、上位層処理部２０１へ出力する。
【０１１７】
送信部２０７は、制御部２０３からの制御に従って、上位層処理部２０１から入力された上りリンク制御情報および上りリンクデータに対して、符号化、変調および多重などの送信処理を行う。例えば、送信部２０７は、ＰＵＳＣＨまたはＰＵＣＣＨなどの上りリンクチャネルおよび／または上りリンク参照信号を生成および多重し、送信信号を生成する。なお、送信部２０７における送信処理は、あらかじめ規定された設定、または、基地局装置１から設定または通知に基づいて行われる。
【０１１８】
符号化部２０７１は、制御部２０３から入力されたＨＡＲＱインディケータ（ＨＡＲＱ−ＡＣＫ）、上りリンク制御情報、および上りリンクデータを、ブロック符号化、畳込み符号化、ターボ符号化等の所定の符号化方式を用いて符号化を行う。変調部２０７３は、符号化部２０７１から入力された符号化ビットをＢＰＳＫ、ＱＰＳＫ、１６ＱＡＭ、６４ＱＡＭ、２５６ＱＡＭ等の所定の変調方式で変調する。上りリンク参照信号生成部２０７９は、端末装置２に設定されたＲＲＣパラメータなどに基づいて、上りリンク参照信号を生成する。多重部２０７５は、各チャネルの変調シンボルと上りリンク参照信号を多重し、所定のリソースエレメントに配置する。
【０１１９】
無線送信部２０７７は、多重部２０７５からの信号に対して、逆高速フーリエ変換（Inverse  Fast  Fourier  Transform:  IFFT）による時間領域の信号への変換、ガードインターバルの付加、ベースバンドのデジタル信号の生成、アナログ信号への変換、直交変調、中間周波数の信号から高周波数の信号への変換（アップコンバート:  up  convert）、余分な周波数成分の除去、電力の増幅などの処理を行い、送信信号を生成する。無線送信部２０７７が出力した送信信号は、送受信アンテナ２０９から送信される。
【０１２０】
なお、本実施形態に係る端末装置２の送信処理部は、送信部２０７、制御部２０３又は上位層処理部２０１の少なくともいずれかに相当し得る。また、本実施形態に係る端末装置２の受信処理部は、受信部２０５、制御部２０３又は上位層処理部２０１の少なくともいずれかに相当し得る。
【０１２１】
＜本実施形態における制御情報のシグナリング＞
基地局装置１および端末装置２は、それぞれ制御情報のシグナリング（通知、報知、設定）のために、様々な方法を用いることができる。制御情報のシグナリングは、様々な層（レイヤー）で行うことができる。制御情報のシグナリングは、物理層（レイヤー）を通じたシグナリングである物理層シグナリング、ＲＲＣ層を通じたシグナリングであるＲＲＣシグナリング、および、ＭＡＣ層を通じたシグナリングであるＭＡＣシグナリングなどを含む。ＲＲＣシグナリングは、端末装置２に固有の制御情報を通知する専用のＲＲＣシグナリング（Dedicated  RRC  signaling）、または、基地局装置１に固有の制御情報を通知する共通のＲＲＣシグナリング（Common  RRC  signaling）である。ＲＲＣシグナリングやＭＡＣシグナリングなど、物理層から見て上位の層が用いるシグナリングは上位層シグナリングとも呼称される。
【０１２２】
ＲＲＣシグナリングは、ＲＲＣパラメータをシグナリングすることにより実現される。ＭＡＣシグナリングは、ＭＡＣ制御エレメントをシグナリングすることにより実現される。物理層シグナリングは、下りリンク制御情報（ＤＣＩ：Downlink  Control  Information）または上りリンクリンク制御情報（ＵＣＩ：Uplink  Control  Information）をシグナリングすることにより実現される。ＲＲＣパラメータおよびＭＡＣ制御エレメントは、ＰＤＳＣＨまたはＰＵＳＣＨを用いて送信される。ＤＣＩは、ＰＤＣＣＨまたはＥＰＤＣＣＨを用いて送信される。ＵＣＩは、ＰＵＣＣＨまたはＰＵＳＣＨを用いて送信される。ＲＲＣシグナリングおよびＭＡＣシグナリングは、準静的（semi-static）な制御情報をシグナリングするために用いられ、準静的シグナリングとも呼称される。物理層シグナリングは、動的（dynamic）な制御情報をシグナリングするために用いられ、動的シグナリングとも呼称される。ＤＣＩは、ＰＤＳＣＨのスケジューリングまたはＰＵＳＣＨのスケジューリングなどのために用いられる。ＵＣＩは、ＣＳＩ報告、ＨＡＲＱ−ＡＣＫ報告、および／またはスケジューリング要求（ＳＲ：Scheduling  Request）などのために用いられる。
【０１２３】
＜本実施形態における下りリンク制御情報の詳細＞
ＤＣＩはあらかじめ規定されるフィールドを有するＤＣＩフォーマットを用いて通知される。ＤＣＩフォーマットに規定されるフィールドは、所定の情報ビットがマッピングされる。ＤＣＩは、下りリンクスケジューリング情報、上りリンクスケジューリング情報、サイドリンクスケジューリング情報、非周期的ＣＳＩ報告の要求、または、上りリンク送信電力コマンドを通知する。
【０１２４】
端末装置２がモニタするＤＣＩフォーマットは、サービングセル毎に設定された送信モードによって決まる。すなわち、端末装置２がモニタするＤＣＩフォーマットの一部は、送信モードによって異なることができる。例えば、下りリンク送信モード１が設定された端末装置２は、ＤＣＩフォーマット１ＡとＤＣＩフォーマット１をモニタする。例えば、下りリンク送信モード４が設定された端末装置２は、ＤＣＩフォーマット１ＡとＤＣＩフォーマット２をモニタする。例えば、上りリンク送信モード１が設定された端末装置２は、ＤＣＩフォーマット０をモニタする。例えば、上りリンク送信モード２が設定された端末装置２は、ＤＣＩフォーマット０とＤＣＩフォーマット４をモニタする。
【０１２５】
端末装置２に対するＤＣＩを通知するＰＤＣＣＨが配置される制御領域は通知されず、端末装置２は端末装置２に対するＤＣＩをブラインドデコーディング（ブラインド検出）により検出する。具体的には、端末装置２は、サービングセルにおいて、ＰＤＣＣＨ候補のセットをモニタする。モニタリングは、そのセットの中のＰＤＣＣＨのそれぞれに対して、全てのモニタされるＤＣＩフォーマットによって復号を試みることを意味する。例えば、端末装置２は、端末装置２宛に送信される可能性がある全てのアグリゲーションレベル、ＰＤＣＣＨ候補、および、ＤＣＩフォーマットについてデコードを試みる。端末装置２は、デコード（検出）が成功したＤＣＩ（ＰＤＣＣＨ）を端末装置２に対するＤＣＩ（ＰＤＣＣＨ）として認識する。
【０１２６】
ＤＣＩに対して、巡回冗長検査（ＣＲＣ:  Cyclic  Redundancy  Check）が付加される。ＣＲＣは、ＤＣＩのエラー検出およびＤＣＩのブラインド検出のために用いられる。ＣＲＣ（ＣＲＣパリティビット）は、ＲＮＴＩ（Radio  Network  Temporary  Identifier）によってスクランブルされる。端末装置２は、ＲＮＴＩに基づいて、端末装置２に対するＤＣＩかどうかを検出する。具体的には、端末装置２は、ＣＲＣに対応するビットに対して、所定のＲＮＴＩでデスクランブルを行い、ＣＲＣを抽出し、対応するＤＣＩが正しいかどうかを検出する。
【０１２７】
ＲＮＴＩは、ＤＣＩの目的や用途に応じて規定または設定される。ＲＮＴＩは、Ｃ−ＲＮＴＩ（Cell-RNTI）、ＳＰＳ  Ｃ−ＲＮＴＩ（Semi  Persistent  Scheduling  C-RNTI）、ＳＩ−ＲＮＴＩ（System  Information-RNTI）、Ｐ−ＲＮＴＩ（Paging-RNTI）、ＲＡ−ＲＮＴＩ（Random  Access-RNTI）、ＴＰＣ−ＰＵＣＣＨ−ＲＮＴＩ（Transmit  Power  Control-PUCCH-RNTI）、ＴＰＣ−ＰＵＳＣＨ−ＲＮＴＩ（Transmit  Power  Control-PUSCH-RNTI）、一時的Ｃ−ＲＮＴＩ、Ｍ−ＲＮＴＩ（MBMS  (Multimedia  Broadcast  Multicast  Services)  -RNTI）、および、ｅＩＭＴＡ−ＲＮＴＩ、ＣＣ−ＲＮＴＩを含む。
【０１２８】
Ｃ−ＲＮＴＩおよびＳＰＳ  Ｃ−ＲＮＴＩは、基地局装置１（セル）内において端末装置２に固有のＲＮＴＩであり、端末装置２を識別するための識別子である。Ｃ−ＲＮＴＩは、あるサブフレームにおけるＰＤＳＣＨまたはＰＵＳＣＨをスケジューリングするために用いられる。ＳＰＳ  Ｃ−ＲＮＴＩは、ＰＤＳＣＨまたはＰＵＳＣＨのためのリソースの周期的なスケジューリングをアクティベーションまたはリリースするために用いられる。ＳＩ−ＲＮＴＩでスクランブルされたＣＲＣを有する制御チャネルは、ＳＩＢ（System  Information  Block）をスケジューリングするために用いられる。Ｐ−ＲＮＴＩでスクランブルされたＣＲＣを有する制御チャネルは、ページングを制御するために用いられる。ＲＡ−ＲＮＴＩでスクランブルされたＣＲＣを有する制御チャネルは、ＲＡＣＨに対するレスポンスをスケジューリングするために用いられる。ＴＰＣ−ＰＵＣＣＨ−ＲＮＴＩでスクランブルされたＣＲＣを有する制御チャネルは、ＰＵＣＣＨの電力制御を行うために用いられる。ＴＰＣ−ＰＵＳＣＨ−ＲＮＴＩでスクランブルされたＣＲＣを有する制御チャネルは、ＰＵＳＣＨの電力制御を行うために用いられる。Ｔｅｍｐｏｒａｒｙ  Ｃ−ＲＮＴＩでスクランブルされたＣＲＣを有する制御チャネルは、Ｃ−ＲＮＴＩが設定または認識されていない移動局装置によって用いられる。Ｍ−ＲＮＴＩでスクランブルされたＣＲＣを有する制御チャネルは、ＭＢＭＳをスケジューリングするために用いられる。ｅＩＭＴＡ−ＲＮＴＩでスクランブルされたＣＲＣを有する制御チャネルは、動的ＴＤＤ（ｅＩＭＴＡ）において、ＴＤＤサービングセルのＴＤＤ  ＵＬ／ＤＬ設定に関する情報を通知するために用いられる。ＣＣ−ＲＮＴＩでスクランブルされたＣＲＣを有する制御チャネル（ＤＣＩ）は、ＬＡＡセカンダリーセルにおいて、専有ＯＦＤＭシンボルの設定を通知するために用いられる。なお、上記のＲＮＴＩに限らず、新たなＲＮＴＩによってＤＣＩフォーマットがスクランブルされてもよい。
【０１２９】
スケジューリング情報（下りリンクスケジューリング情報、上りリンクスケジューリング情報、サイドリンクスケジューリング情報）は、周波数領域のスケジューリングとして、リソースブロックまたはリソースブロックグループを単位にスケジューリングを行うための情報を含む。リソースブロックグループは、連続するリソースブロックのセットであり、スケジューリングされる端末装置に対する割り当てられるリソースを示す。リソースブロックグループのサイズは、システム帯域幅に応じて決まる。
【０１３０】
＜本実施形態における下りリンク制御チャネルの詳細＞
ＤＣＩはＰＤＣＣＨまたはＥＰＤＣＣＨなどの制御チャネルを用いて送信される。端末装置２は、ＲＲＣシグナリングによって設定された１つまたは複数のアクティベートされたサービングセルのＰＤＣＣＨ候補のセットおよび／またはＥＰＤＣＣＨ候補のセットをモニタする。ここで、モニタリングとは、全てのモニタされるＤＣＩフォーマットに対応するセット内のＰＤＣＣＨおよび／またはＥＰＤＣＣＨのデコードを試みることである。
【０１３１】
ＰＤＣＣＨ候補のセットまたはＥＰＤＣＣＨ候補のセットは、サーチスペースとも呼称される。サーチスペースには、共有サーチスペース（ＣＳＳ）と端末固有サーチスペース（ＵＳＳ）が定義される。ＣＳＳは、ＰＤＣＣＨに関するサーチスペースのみに対して定義されてもよい。
【０１３２】
ＣＳＳ（Common  Search  Space）は、基地局装置１に固有のパラメータおよび／または予め規定されたパラメータに基づいて設定されるサーチスペースである。例えば、ＣＳＳは、複数の端末装置で共通に用いられるサーチスペースである。そのため、基地局装置１が複数の端末装置で共通の制御チャネルをＣＳＳにマッピングすることにより、制御チャネルを送信するためのリソースが低減される。
【０１３３】
ＵＳＳ（UE-specific  Search  Space）は、少なくとも端末装置２に固有のパラメータを用いて設定されるサーチスペースである。そのため、ＵＳＳは、端末装置２に固有のサーチスペースであり、基地局装置１はＵＳＳによって端末装置２に固有の制御チャネルを個別に送信することができる。そのため、基地局装置１は複数の端末装置に固有の制御チャネルを効率的にマッピングできる。
【０１３４】
ＵＳＳは、複数の端末装置に共通に用いられるように設定されてもよい。複数の端末装置に対して共通のＵＳＳが設定されるために、端末装置２に固有のパラメータは、複数の端末装置の間で同じ値になるように設定される。例えば、複数の端末装置の間で同じパラメータに設定される単位は、セル、送信点、または所定の端末装置のグループなどである。
【０１３５】
アグリゲーションレベル毎のサーチスペースはＰＤＣＣＨ候補のセットによって定義される。ＰＤＣＣＨのそれぞれは、１つ以上のＣＣＥ（Control  Channel  Element）の集合を用いて送信される。１つのＰＤＣＣＨに用いられるＣＣＥの数は、アグリゲーションレベルとも呼称される。例えば、１つのＰＤＣＣＨに用いられるＣＣＥの数は、１、２、４または８である。
【０１３６】
アグリゲーションレベル毎のサーチスペースはＥＰＤＣＣＨ候補のセットによって定義される。ＥＰＤＣＣＨのそれぞれは、１つ以上のＥＣＣＥ（Enhanced  Control  Channel  Element）の集合を用いて送信される。１つのＥＰＤＣＣＨに用いられるＥＣＣＥの数は、アグリゲーションレベルとも呼称される。例えば、１つのＥＰＤＣＣＨに用いられるＥＣＣＥの数は、１、２、４、８、１６または３２である。
【０１３７】
ＰＤＣＣＨ候補の数またはＥＰＤＣＣＨ候補の数は、少なくともサーチスペースおよびアグリゲーションレベルに基づいて決まる。例えば、ＣＳＳにおいて、アグリゲーションレベル４および８におけるＰＤＣＣＨ候補の数はそれぞれ４および２である。例えば、ＵＳＳにおいて、アグリゲーション１、２、４および８におけるＰＤＣＣＨ候補の数はそれぞれ６、６、２および２である。
【０１３８】
それぞれのＥＣＣＥは、複数のＥＲＥＧ（Enhanced  resource  element  group）で構成される。ＥＲＥＧは、ＥＰＤＣＣＨのリソースエレメントに対するマッピングを定義するために用いられる。各ＲＢペアにおいて、０から１５に番号付けされる、１６個のＥＲＥＧが定義される。すなわち、各ＲＢペアにおいて、ＥＲＥＧ０〜ＥＲＥＧ１５が定義される。各ＲＢペアにおいて、ＥＲＥＧ０〜ＥＲＥＧ１５は、所定の信号および／またはチャネルがマッピングされるリソースエレメント以外のリソースエレメントに対して、周波数方向を優先して、周期的に定義される。例えば、アンテナポート１０７〜１１０で送信されるＥＰＤＣＣＨに関連付けられる復調用参照信号がマッピングされるリソースエレメントは、ＥＲＥＧとして定義されない。
【０１３９】
１つのＥＰＤＣＣＨに用いられるＥＣＣＥの数は、ＥＰＤＣＣＨフォーマットに依存し、他のパラメータに基づいて決定される。１つのＥＰＤＣＣＨに用いられるＥＣＣＥの数は、アグリゲーションレベルとも呼称される。例えば、１つのＥＰＤＣＣＨに用いられるＥＣＣＥの数は、１つのＲＢペアにおけるＥＰＤＣＣＨ送信に用いることができるリソースエレメントの数、ＥＰＤＣＣＨの送信方法などに基づいて、決定される。例えば、１つのＥＰＤＣＣＨに用いられるＥＣＣＥの数は、１、２、４、８、１６または３２である。また、１つのＥＣＣＥに用いられるＥＲＥＧの数は、サブフレームの種類およびサイクリックプレフィックスの種類に基づいて決定され、４または８である。ＥＰＤＣＣＨの送信方法として、分散送信（Distributed  transmission）および局所送信（Localized  transmission）がサポートされる。
【０１４０】
ＥＰＤＣＣＨは、分散送信または局所送信を用いることができる。分散送信および局所送信は、ＥＲＥＧおよびＲＢペアに対するＥＣＣＥのマッピングが異なる。例えば、分散送信において、１つのＥＣＣＥは、複数のＲＢペアのＥＲＥＧを用いて構成される。局所送信において、１つのＥＣＣＥは、１つのＲＢペアのＥＲＥＧを用いて構成される。
【０１４１】
基地局装置１は、端末装置２に対して、ＥＰＤＣＣＨに関する設定を行う。端末装置２は、基地局装置１からの設定に基づいて、複数のＥＰＤＣＣＨをモニタリングする。端末装置２がＥＰＤＣＣＨをモニタリングするＲＢペアのセットが、設定されうる。そのＲＢペアのセットは、ＥＰＤＣＣＨセットまたはＥＰＤＣＣＨ−ＰＲＢセットとも呼称される。１つの端末装置２に対して、１つ以上のＥＰＤＣＣＨセットが設定できる。各ＥＰＤＣＣＨセットは、１つ以上のＲＢペアで構成される。また、ＥＰＤＣＣＨに関する設定は、ＥＰＤＣＣＨセット毎に個別に行うことができる。
【０１４２】
基地局装置１は、端末装置２に対して、所定数のＥＰＤＣＣＨセットを設定できる。例えば、２つまでのＥＰＤＣＣＨセットが、ＥＰＤＣＣＨセット０および／またはＥＰＤＣＣＨセット１として、設定できる。ＥＰＤＣＣＨセットのそれぞれは、所定数のＲＢペアで構成できる。各ＥＰＤＣＣＨセットは、複数のＥＣＣＥの１つのセットを構成する。１つのＥＰＤＣＣＨセットに構成されるＥＣＣＥの数は、そのＥＰＤＣＣＨセットとして設定されるＲＢペアの数、および、１つのＥＣＣＥに用いられるＥＲＥＧの数に基づいて、決定される。１つのＥＰＤＣＣＨセットに構成されるＥＣＣＥの数がＮである場合、各ＥＰＤＣＣＨセットは、０〜Ｎ−１で番号付けされたＥＣＣＥを構成する。例えば、１つのＥＣＣＥに用いられるＥＲＥＧの数が４である場合、４つのＲＢペアで構成されるＥＰＤＣＣＨセットは１６個のＥＣＣＥを構成する。
【０１４３】
＜本実施形態におけるCAとDCの詳細＞
端末装置２は複数のセルが設定され、マルチキャリア送信を行うことができる。端末装置２が複数のセルを用いる通信は、ＣＡ（キャリアアグリゲーション）またはＤＣ（デュアルコネクティビティ）と称される。本実施形態に記載の内容は、端末装置２に対して設定される複数のセルのそれぞれまたは一部に適用できる。端末装置２に設定されるセルを、サービングセルとも称する。
【０１４４】
ＣＡおいて、設定される複数のサービングセルは、１つのプライマリーセル（PCell:  Primary  Cell）と１つ以上のセカンダリーセル（SCell:  Secondary  Cell）とを含む。ＣＡをサポートしている端末装置２に対して、１つのプライマリーセルと１つ以上のセカンダリーセルが設定されうる。
【０１４５】
プライマリーセルは、初期コネクション構築（initial  connection  establishment）手続きが行なわれたサービングセル、コネクション再構築（connection  re-establishment）手続きを開始したサービングセル、または、ハンドオーバ手続きにおいてプライマリーセルと指示されたセルである。プライマリーセルは、プライマリー周波数でオペレーションする。セカンダリーセルは、コネクションの構築または再構築以降に設定されうる。セカンダリーセルは、セカンダリー周波数でオペレーションする。なお、コネクションは、ＲＲＣコネクションとも称される。
【０１４６】
ＤＣは、少なくとも２つの異なるネットワークポイントから提供される無線リソースを所定の端末装置２が消費するオペレーションである。ネットワークポイントは、マスター基地局装置（MeNB:  Master  eNB）とセカンダリー基地局装置（SeNB:  Secondary  eNB）である。デュアルコネクティビティは、端末装置２が、少なくとも２つのネットワークポイントでＲＲＣ接続を行なうことである。デュアルコネクティビティにおいて、２つのネットワークポイントは、非理想的バックホール（non-ideal  backhaul）によって接続されてもよい。
【０１４７】
ＤＣにおいて、少なくともＳ１−ＭＭＥ（Mobility  Management  Entity）に接続され、コアネットワークのモビリティアンカーの役割を果たす基地局装置１をマスター基地局装置と称される。また、端末装置２に対して追加の無線リソースを提供するマスター基地局装置ではない基地局装置１をセカンダリー基地局装置と称される。マスター基地局装置に関連されるサービングセルのグループは、マスターセルグループ（MCG:  Master  Cell  Group）とも呼称される。セカンダリー基地局装置に関連されるサービングセルのグループは、セカンダリーセルグループ（SCG:  Secondary  Cell  Group）とも呼称される。なお、サービングセルのグループを、セルグループ（ＣＧ）と呼称される。
【０１４８】
ＤＣにおいて、プライマリーセルは、ＭＣＧに属する。また、ＳＣＧにおいて、プライマリーセルに相当するセカンダリーセルをプライマリーセカンダリーセル（PSCell:  Primary  Secondary  Cell）と称する。ＰＳＣｅｌｌ（ｐＳＣｅｌｌを構成する基地局装置）には、ＰＣｅｌｌ（ＰＣｅｌｌを構成する基地局装置）と同等の機能（能力、性能）がサポートされてもよい。また、ＰＳＣｅｌｌには、ＰＣｅｌｌの一部の機能だけがサポートされてもよい。例えば、ＰＳＣｅｌｌには、ＣＳＳまたはＵＳＳとは異なるサーチスペースを用いて、ＰＤＣＣＨ送信を行なう機能がサポートされてもよい。また、ＰＳＣｅｌｌは、常にアクティベーションの状態であってもよい。また、ＰＳＣｅｌｌは、ＰＵＣＣＨを受信できるセルである。
【０１４９】
ＤＣにおいて、無線ベアラ（データ無線ベアラ（DRB:  Date  Radio  Bearer）および／またはシグナリング無線ベアラ（SRB:  Signaling  Radio  Bearer））は、ＭｅＮＢとＳｅＮＢで個別に割り当てられてもよい。ＭＣＧ（ＰＣｅｌｌ）とＳＣＧ（ＰＳＣｅｌｌ）に対して、それぞれ個別にデュプレックスモードが設定されてもよい。ＭＣＧ（ＰＣｅｌｌ）とＳＣＧ（ＰＳＣｅｌｌ）は、互いに同期されなくてもよい。すなわち、ＭＣＧのフレーム境界とＳＣＧのフレーム境界が一致しなくてもよい。ＭＣＧ（ＰＣｅｌｌ）とＳＣＧ（ＰＳＣｅｌｌ）に対して、複数のタイミング調整のためのパラメータ（TAG:  Timing  Advance  Group）が独立に設定されてもよい。デュアルコネクティビティにおいて、端末装置２は、ＭＣＧ内のセルに対応するＵＣＩをＭｅＮＢ（ＰＣｅｌｌ）のみで送信し、ＳＣＧ内のセルに対応するＵＣＩをＳｅＮＢ（ｐＳＣｅｌｌ）のみで送信する。それぞれのＵＣＩの送信において、ＰＵＣＣＨおよび／またはＰＵＳＣＨを用いた送信方法はそれぞれのセルグループで適用される。
【０１５０】
ＰＵＣＣＨおよびＰＢＣＨ（ＭＩＢ）は、ＰＣｅｌｌまたはＰＳＣｅｌｌのみで送信される。また、ＰＲＡＣＨは、ＣＧ内のセル間で複数のＴＡＧ（Timing  Advance  Group）が設定されない限り、ＰＣｅｌｌまたはＰＳＣｅｌｌのみで送信される。
【０１５１】
ＰＣｅｌｌまたはＰＳＣｅｌｌでは、ＳＰＳ（Semi-Persistent  Scheduling）やＤＲＸ（Discontinuous  Transmission）を行ってもよい。セカンダリーセルでは、同じセルグループのＰＣｅｌｌまたはＰＳＣｅｌｌと同じＤＲＸを行ってもよい。
【０１５２】
セカンダリーセルにおいて、ＭＡＣの設定に関する情報／パラメータは、基本的に、同じセルグループのＰＣｅｌｌまたはＰＳＣｅｌｌと共有している。一部のパラメータは、セカンダリーセル毎に設定されてもよい。一部のタイマーやカウンタが、ＰＣｅｌｌまたはＰＳＣｅｌｌのみに対して適用されてもよい。
【０１５３】
ＣＡにおいて、ＴＤＤ方式が適用されるセルとＦＤＤ方式が適用されるセルが集約されてもよい。ＴＤＤが適用されるセルとＦＤＤが適用されるセルとが集約される場合に、ＴＤＤが適用されるセルおよびＦＤＤが適用されるセルのいずれか一方に対して本開示を適用することができる。
【０１５４】
端末装置２は、端末装置２によってＣＡおよび／またはＤＣがサポートされているバンド組み合わせを示す情報（supportedBandCombination）を、基地局装置１に送信する。端末装置２は、バンド組み合わせのそれぞれに対して、異なる複数のバンドにおける前記複数のサービングセルにおける同時送信および受信をサポートしているかどうかを指示する情報を、基地局装置１に送信する。
【０１５５】
＜本実施形態におけるリソース割り当ての詳細＞
基地局装置１は、端末装置２にＰＤＳＣＨおよび／またはＰＵＳＣＨのリソース割り当ての方法として、複数の方法を用いることができる。リソース割り当ての方法は、動的スケジューリング、セミパーシステントスケジューリング、マルチサブフレームスケジューリング、およびクロスサブフレームスケジューリングを含む。
【０１５６】
動的スケジューリングにおいて、１つのＤＣＩは１つのサブフレームにおけるリソース割り当てを行う。具体的には、あるサブフレームにおけるＰＤＣＣＨまたはＥＰＤＣＣＨは、そのサブフレームにおけるＰＤＳＣＨに対するスケジューリングを行う。あるサブフレームにおけるＰＤＣＣＨまたはＥＰＤＣＣＨは、そのサブフレームより後の所定のサブフレームにおけるＰＵＳＣＨに対するスケジューリングを行う。
【０１５７】
マルチサブフレームスケジューリングにおいて、１つのＤＣＩは１つ以上のサブフレームにおけるリソース割り当てを行う。具体的には、あるサブフレームにおけるＰＤＣＣＨまたはＥＰＤＣＣＨは、そのサブフレームより所定数後の１つ以上のサブフレームにおけるＰＤＳＣＨに対するスケジューリングを行う。あるサブフレームにおけるＰＤＣＣＨまたはＥＰＤＣＣＨは、そのサブフレームより所定数後の１つ以上のサブフレームにおけるＰＵＳＣＨに対するスケジューリングを行う。その所定数はゼロ以上の整数にすることができる。その所定数は、あらかじめ規定されてもよいし、物理層シグナリングおよび／またはＲＲＣシグナリングに基づいて決められてもよい。マルチサブフレームスケジューリングにおいて、連続したサブフレームがスケジューリングされてもよいし、所定の周期を有するサブフレームがスケジューリングされてもよい。スケジューリングされるサブフレームの数は、あらかじめ規定されてもよいし、物理層シグナリングおよび／またはＲＲＣシグナリングに基づいて決められてもよい。
【０１５８】
クロスサブフレームスケジューリングにおいて、１つのＤＣＩは１つのサブフレームにおけるリソース割り当てを行う。具体的には、あるサブフレームにおけるＰＤＣＣＨまたはＥＰＤＣＣＨは、そのサブフレームより所定数後の１つのサブフレームにおけるＰＤＳＣＨに対するスケジューリングを行う。あるサブフレームにおけるＰＤＣＣＨまたはＥＰＤＣＣＨは、そのサブフレームより所定数後の１つのサブフレームにおけるＰＵＳＣＨに対するスケジューリングを行う。その所定数はゼロ以上の整数にすることができる。その所定数は、あらかじめ規定されてもよいし、物理層シグナリングおよび／またはＲＲＣシグナリングに基づいて決められてもよい。クロスサブフレームスケジューリングにおいて、連続したサブフレームがスケジューリングされてもよいし、所定の周期を有するサブフレームがスケジューリングされてもよい。
【０１５９】
セミパーシステントスケジューリング（ＳＰＳ）において、１つのＤＣＩは１つ以上のサブフレームにおけるリソース割り当てを行う。端末装置２は、ＲＲＣシグナリングによってＳＰＳに関する情報が設定され、ＳＰＳを有効にするためのＰＤＣＣＨまたはＥＰＤＣＣＨを検出した場合、ＳＰＳに関する処理を有効にし、ＳＰＳに関する設定に基づいて所定のＰＤＳＣＨおよび／またはＰＵＳＣＨを受信する。端末装置２は、ＳＰＳが有効である時にＳＰＳをリリースするためのＰＤＣＣＨまたはＥＰＤＣＣＨを検出した場合、ＳＰＳをリリース（無効に）し、所定のＰＤＳＣＨおよび／またはＰＵＳＣＨの受信を止める。ＳＰＳのリリースは、所定の条件を満たした場合に基づいて行ってもよい。例えば、所定数の空送信のデータを受信した場合に、ＳＰＳはリリースされる。ＳＰＳをリリースするためのデータの空送信は、ゼロＭＡＣ  ＳＤＵ（Service  Data  Unit）を含むＭＡＣ  ＰＤＵ（Protocol  Data  Unit）に対応する。
【０１６０】
ＲＲＣシグナリングによるＳＰＳに関する情報は、ＳＰＳのＲＮＴＩであるＳＰＳ  Ｃ−ＲＮＴＩ、ＰＤＳＣＨのスケジューリングされる周期（インターバル）に関する情報、ＰＵＳＣＨのスケジューリングされる周期（インターバル）に関する情報、ＳＰＳをリリースするための設定に関する情報、および／または、ＳＰＳにおけるＨＡＲＱプロセスの番号を含む。ＳＰＳは、プライマリーセルおよび／またはプライマリーセカンダリーセルのみにサポートされる。
【０１６１】
＜本実施形態におけるＮＲのフレーム構成＞
ＮＲでは、物理チャネルおよび／または物理信号を自己完結型送信（self-contained  transmission）によって送信することができる。図１０に、本実施形態における自己完結型送信のフレーム構成の一例を示す。自己完結型送信では、１つの送受信は、先頭から連続する下りリンク送信、ＧＰ、および連続する下りリンク送信の順番で構成される。連続する下りリンク送信には、少なくとも１つの下りリンク制御情報およびＤＭＲＳが含まれる。その下りリンク制御情報は、その連続する下りリンク送信に含まれる下りリンク物理チャネルの受信、またはその連続する上りリンク送信に含まれる上りリンク物理チャネルの送信を指示する。その下りリンク制御情報が下りリンク物理チャネルの受信を指示した場合、端末装置２は、その下りリンク制御情報に基づいてその下りリンク物理チャネルの受信を試みる。そして、端末装置２は、その下りリンク物理チャネルの受信成否（デコード成否）を、ＧＰ後に割り当てられる上りリンク送信に含まれる上りリンク制御チャネルによって送信する。一方で、その下りリンク制御情報が上りリンク物理チャネルの送信を指示した場合、その下りリンク制御情報に基づいて送信される上りリンク物理チャネルを上りリンク送信に含めて送信を行う。このように、下りリンク制御情報によって、上りリンクデータの送信と下りリンクデータの送信を柔軟に切り替えることで、上りリンクと下りリンクのトラヒック比率の増減に即座に対応することができる。また、下りリンクの受信成否を直後の上りリンク送信で通知することで、下りリンクの低遅延通信を実現することができる。
【０１６２】
単位スロット時間は、下りリンク送信、ＧＰ、または上りリンク送信を定義する最小の時間単位である。単位スロット時間は、下りリンク送信、ＧＰ、または上りリンク送信のいずれかのために予約される。単位スロット時間の中に、下りリンク送信と上りリンク送信の両方は含まれない。単位スロット時間は、その単位スロット時間に含まれるＤＭＲＳと関連付けられるチャネルの最小送信時間としてもよい。１つの単位スロット時間は、例えば、ＮＲのサンプリング間隔（Ts）またはシンボル長の整数倍で定義される。
【０１６３】
単位フレーム時間は、スケジューリングで指定される最小時間であってもよい。単位フレーム時間は、トランスポートブロックが送信される最小単位であってもよい。単位スロット時間は、その単位スロット時間に含まれるＤＭＲＳと関連付けられるチャネルの最大送信時間としてもよい。単位フレーム時間は、端末装置２において上りリンク送信電力を決定する単位時間であってもよい。単位フレーム時間は、サブフレームと称されてもよい。単位フレーム時間には、下りリンク送信のみ、上りリンク送信のみ、上りリンク送信と下りリンク送信の組み合わせの３種類のタイプが存在する。１つの単位フレーム時間は、例えば、ＮＲのサンプリング間隔（Ts）、シンボル長、または単位スロット時間の整数倍で定義される。
【０１６４】
送受信時間は、１つの送受信の時間である。１つの送受信と他の送受信との間は、どの物理チャネルおよび物理信号も送信されない時間（ギャップ）で占められる。端末装置２は、異なる送受信間でＣＳＩ測定を平均しなくてもよい。送受信時間は、ＴＴＩと称されてもよい。１つの送受信時間は、例えば、ＮＲのサンプリング間隔（Ts）、シンボル長、単位スロット時間、または単位フレーム時間の整数倍で定義される。
【０１６５】
＜本実施形態におけるＮＲの上りリンクＲＳ＞
ＮＲにおける上りリンクＲＳは、ＮＲ−ＳＲ−ＤＭＲＳ、などがある。
【０１６６】
ＮＲ−ＳＲＳの一例を以下に記載する。なお、明記されない特徴は、ＬＴＥにおけるＳＲＳと同様とみなすことができる。
【０１６７】
ＮＲ−ＳＲＳは、サブフレーム内またはスロット内における最後のシンボルで送信されなくてもよい。例えば、サブフレーム内またはスロット内における最初のシンボルや途中のシンボルで送信されてもよい。
【０１６８】
ＮＲ−ＳＲＳは、複数のシンボルで連続的に送信されてもよい。例えば、サブフレーム内またはスロット内におっける最後の数シンボルで送信されてもよい。
【０１６９】
＜＜２．技術的特徴＞＞
＜本実施形態におけるＮＲのアンテナ構成＞
ＮＲのアンテナには、デジタルアンテナ構成、アナログアンテナ構成、およびデジタルアンテナ構成とアナログアンテナ構成を複合したハイブリッドアンテナ構成が想定される。
【０１７０】
・デジタルアンテナ構成
デジタルアンテナ構成とは、各アンテナ素子に対してデジタル回路（ベースバンド領域）によってアンテナ重みを制御する構成である。
【０１７１】
図１１は、本実施形態におけるデジタルアンテナ構成の一例を示す概略ブロック図である。図１１では、図８に示した基地局装置１の構成における多重部１０７５、無線送信部１０７７、および送受信アンテナ１０９の内部構成の一例が図示されている。なお、アンテナ構成の説明に不要な処理は省略しているが、図８において説明した処理を行う機能は各部が備えているものとする。
【０１７２】
デジタルアンテナ構成では、多重部１０７５は、プリコーディング部を含んで構成される。このプリコーディング部において、各アンテナ素子に対してアンテナ重みが乗算されることで、ビームが形成される。
【０１７３】
デジタルアンテナ構成では、各アンテナ素子に対して柔軟な位相制御を行うことが可能であり、周波数領域において異なるビームを生成することができる。一方で、構成は複雑である。
【０１７４】
・アナログアンテナ構成
図１２は、本実施形態におけるアナログアンテナ構成の一例を示す概略ブロック図である。図１２では、図１１と同様に、図８に示した基地局装置１の構成における多重部１０７５、無線送信部１０７７、および送受信アンテナ１０９の内部構成の一例が図示されている。なお、アンテナ構成の説明に不要な処理は省略しているが、図８において説明した処理を行う機能は各部が備えているものとする。
【０１７５】
アナログアンテナ構成では、無線送信部１０７７は、位相制御部を含んで構成される。この位相制御部によって、アナログ領域（ＲＦ領域）で位相回転させることで、ビームが形成される。
【０１７６】
アナログ領域で位相を制御するため柔軟なビーム制御は困難であるが、構成は簡素である。一例として、アンテナスイッチイング構成はアナログアンテナ構成の一部である。
【０１７７】
・ハイブリッドアンテナ構成
ハイブリッドアンテナ構成は、デジタルアンテナ構成とアナログアンテナ構成を複合した構成であり、アナログ領域における位相制御素子およびデジタル領域における位相制御素子を併せ持つ。ハイブリッドアンテナ構成は、ビームフォーミングの性能と構成の複雑さに関してデジタルアンテナ構成とアナログアンテナ構成の中間となる特徴を有する。
【０１７８】
＜本実施形態におけるＮＲのビーム運用方式＞
ＮＲにおいて、単一ビーム運用と複数ビーム運用の２種類の方式が想定される。
【０１７９】
・単一ビーム運用
図１３は、本実施形態における単一ビーム運用の一例を説明するための図である。図１３に示した例では、基地局装置１は、セル１１を運用して、セルカバレッジ内に位置する端末装置２と通信する。
【０１８０】
単一ビーム運用は、所定のセルカバレッジに対して１つのビームによって運用される方式である。具体的には、所定のセルカバレッジ内において、セル固有の物理チャネルまたは物理信号は１つのビームによって送信される。ＬＴＥは、単一ビーム運用であるとみなすこともできる。
【０１８１】
・複数ビーム運用
図１４は、本実施形態における複数ビーム運用の一例を説明するための図である。図１４に示した例では、基地局装置１は、複数のビーム１２−１〜１２−５（ビームＩＤ＃１〜＃５）を形成して、各々のビームの照射範囲に位置する端末装置２と通信する。
【０１８２】
複数ビーム運用は、所定のセルカバレッジに対して１つ以上のビームによって運用される方式である。具体的には、セル固有の物理チャネルまたは物理信号は複数のビームによって送信される。
【０１８３】
例えば、アナログビームフォーミングやハイブリッドビームフォーミングでは、所定の時間インスタンスでは所定の方向のビームが送信され、その所定の方向のビーム以外に送信することは困難である。そのため、基地局装置１は、時間インスタンスを切り替えることで、複数の方向にビームが切り替わり、広域をカバーすることができる。すなわち、セル固有の物理チャネルまたは物理信号が送信される所定のビームは、１つの時間インスタンス（時間リソース）で送信される。異なる時間インスタンスでは、異なるビームが送信される。このように、複数ビーム運用では、複数の時間インスタンスで複数のビームを切り替えて運用される。この複数の時間インスタンスで複数のビームを切り替えることは、ビームスイープ（beam  sweep）とも呼称される。
【０１８４】
なお、デジタルアンテナ構成であっても、複数ビーム運用が行われてもよい。
【０１８５】
＜本実施形態におけるＮＲの適切なビーム選択＞
ＮＲにおいて、システムは、下りリンクおよび上りリンクのそれぞれ適切なビームを選択することが好ましい。具体的には、基地局装置１の下りリンク送信ビームおよび端末装置２の下りリンク受信ビームのそれぞれについて、適切なビームが選択されることが好ましい。また、端末装置２の上りリンク送信ビームおよび基地局装置１の上りリンク受信ビームのそれぞれについて、適切なビームが選択されることが好ましい。
【０１８６】
基地局装置１の適切な下りリンク送信ビームは、受信する端末装置２からの報告またはフィードバック情報に基づいて得られることができる。適切な下りリンク送信ビームを得るプロセスの一例を次に示す。基地局装置１は、異なる下りリンク送信ビームを用いて所定の既知信号を複数回送信する。端末装置２は、複数回送信された既知信号から、受信強度または受信品質などに基づいて、適切な下りリンク送信ビームを決定し、その適切な下りリンク送信ビームに対応する情報を基地局装置１に報告またはフィードバックする。これにより、基地局装置１は、適切な下りリンク送信ビームを認知することができる。ここで、既知信号としては、ＮＲ−ＳＳ、ＭＲＳ（モビリティＲＳ、Mobility  Reference  Signal）、ＢＲＳ（Beam  Reference  Signal）、ＮＲ−ＣＳＩ−ＲＳ、及びＮＲ−ＤＭ−ＲＳなどが挙げられる。
【０１８７】
または、基地局装置１の適切な下りリンク送信ビームは、基地局装置１の適切な上りリンク受信ビームに基づいて得られることができる。
【０１８８】
端末装置２の適切な上りリンク送信ビームは、受信する基地局装置１からの報告またはフィードバック情報に基づいて得られることができる。適切な上りリンク送信ビームを得るプロセスの一例を次に示す。端末装置２は、異なる上りリンク送信ビームを用いて所定の既知信号を複数回送信する。基地局装置１は、複数回送信された既知信号から、受信強度または受信品質などに基づいて、適切な上りリンク送信ビームを決定し、その適切な上りリンク送信ビームに対応する情報を端末装置２に報告または通知を行う。これにより、端末装置２は、適切な上りリンク送信ビームを認知することができる。ここで、上記既知信号としては、ＮＲ−ＰＲＡＣＨ、ＮＲ−ＳＲＳ、及びＮＲ−ＤＭ−ＲＳなどが挙げられる。
【０１８９】
または、端末装置２の適切な上りリンク送信ビームは、端末装置２の適切な下りリンク受信ビームに基づいて得られることができる。
【０１９０】
＜本実施形態におけるＮＲの同期信号＞
ＮＲにおいて、同期信号は、端末装置２がおよび下りリンクの周波数領域および／または時間領域の同期をとるために用いられる。ＮＲで用いられる同期信号は、ＮＲ−ＳＳとも呼称される。
【０１９１】
ＮＲ−ＳＳは、少なくともＮＲ−ＰＳＳとＮＲ−ＳＳＳで構成される。なお、ＮＲ−ＳＳは、ＮＲ−ＴＳＳ（NR-Third  Synchronization  Signal）を含んで構成されてもよい。ＮＲ−ＳＳは、所定の周波数範囲（周波数バンド）に対してシステム帯域幅によらず一定であることが好ましい。
【０１９２】
ＮＲ−ＰＳＳは、少なくともＮＲセルに対するシンボル境界の初期同期に用いられる。なお、ＮＲ−ＰＳＳは、ＮＲセル識別子の一部の検出、及びＮＲ−ＳＳＳに対する復調のために用いられてもよい。ＮＲ−ＰＳＳの系列は、例えば、Zadoff-Chu系列を用いて構成される。
【０１９３】
端末装置２は、他の参照信号を用いてＮＲ−ＰＳＳの検出を行わない。端末装置２は、ＮＲ−ＰＳＳが、他のいずれの下りリンク参照信号と同じＴＲＰ（Transmission  and  Reception  Point、送受信点）およびアンテナポートで送信されると想定しなくてよい。
【０１９４】
ＮＲ−ＳＳＳは、少なくともＮＲセル識別子またはＮＲセル識別子の一部の検出に用いられる。ＮＲ−ＳＳＳは、ＮＲ−ＰＳＳのリソース位置に対して固定の時間および周波数リソース関係で位置されて、検出される。そのリソース関係は複信の方式やビーム運用方式に依存せず一定である。ＮＲ−ＳＳＳの系列の種類は、Ｍ系列が好ましいが、例えば、Zadoff-Chu系列、又はゴールド系列などであってもよい。また、前記系列の種類の複数を組み合わせて用いられてもよく、同じ種類の系列であって生成式の異なる複数の系列を込みあわせて用いられてもよい。
【０１９５】
端末装置２は、ＮＲ−ＰＳＳの検出によって得られたチャネル状態情報および／またはＮＲセルに関する情報を用いて、ＮＲ−ＳＳＳの検出を行ってもよい。端末装置２は、ＮＲ−ＰＳＳと同じアンテナポートでＮＲ−ＳＳＳが送信されていると想定してもよい。
【０１９６】
ＮＲ−ＴＳＳは、同期信号ブロックのインデックスを通知するために用いられてもよい。ＮＲ−ＴＳＳは、ビームのインデックスを通知するために用いられてもよい。ＮＲ−ＴＳＳは、同期信号ブロックの繰り返し数を通知するために用いられてもよい。ＮＲ−ＴＳＳは、そのＮＲ−ＴＳＳが含まれる同期信号ブロックと同期信号バースト内の他の同期信号および／またはＮＲ−ＰＢＣＨの一部または全部が同じであるか否かを通知するために用いられてもよい。
【０１９７】
ＮＲ−ＳＳは、そのＮＲ−ＳＳが送信されるＮＲセルの品質を測定するために用いられてもよい。そのＮＲセルの品質は、例えば、ＲＳＲＰ、ＲＳＲＱ、ＲＳＳＩ（Received  Signal  Strength  Indicator）、ＳＮＲ（Signal  to  Noise  Ratio）、および／またはＳＩＮＲ（Signal  to  Interference  plus  Noise  Ratio）である。
【０１９８】
ＮＲ−ＳＳは所定のサブキャリア間隔を用いて送信される。その所定のサブキャリア間隔は、周波数バンド（オペレーティングバンド）に対して一意に定義される。
【０１９９】
＜本実施形態におけるＮＲの報知チャネル＞
ＮＲにおいて、少なくとも１つの報知チャネルが定義される。その報知チャネルは、ＮＲ−ＰＢＣＨとも呼称される。
【０２００】
ＮＲ−ＰＢＣＨは、システム情報の一部を報知するために用いられる。ＮＲ−ＰＢＣＨは、他の制御情報によってスケジュールされない。ＮＲ−ＰＢＣＨで運ばれるシステム情報は、固定のペイロードサイズを有する。ＮＲ−ＰＢＣＨは、周期的に送信される。ＮＲ−ＰＢＣＨで運ばれるシステム情報は、第一のＮＲシステム情報またはＮＲ−ＭＩＢとも呼称される。
【０２０１】
ＮＲ−ＰＢＣＨに含まれるＮＲ−ＭＩＢは、ポーラ符号によって符号化される。なお、ＮＲ−ＭＩＢは、ＬＤＰＣ（Low-Density  Parity  Check）符号によって符号化されてもよい。なお、ＮＲ−ＭＩＢは、畳み込み符号によって符号化されてもよい。
【０２０２】
ＮＲ−ＰＢＣＨは、ＮＲセル識別子を用いてスクランブルされてもよい。端末装置２は、ＮＲセル識別子を用いてＮＲ−ＰＢＣＨのデスクランブルを行う。なお、ＮＲ−ＰＢＣＨは、ＮＲ−ＳＳによって得られる他の識別子を用いてスクランブルされてもよい。その他の識別子としては、例えば、ビームインデックス、及び時間インデックスなどが挙げられる。
【０２０３】
ＮＲ−ＰＢＣＨのリソースマッピングは、先に周波数方向から順番に割り当てられる。具体例として、ＮＲ−ＰＢＣＨに予約されたリソースエレメントのうち、先頭のシンボルのサブキャリアに変調後シンボルが順番に割り当てられる。そして、先頭のシンボルの全てのサブキャリアに割り当てられた後に、次のシンボルのサブキャリアに変調後シンボルが順番に割り当てられる。このような工程を繰り返し、ＮＲ−ＰＢＣＨに予約されたリソースエレメントの全てに、変調後シンボルが割り当てられる。
【０２０４】
ＮＲ−ＰＢＣＨのサブキャリア間隔は、ＮＲ−ＳＳのサブキャリア間隔と同じであることが好ましい。
【０２０５】
ＮＲ−ＰＢＣＨは、ＮＲ−ＰＢＣＨを復調するためのＲＳと多重されて送信されてもよい。ＮＲ−ＰＢＣＨは、そのＲＳを用いて復調されてもよい。なお、ＮＲ−ＰＢＣＨは、ＮＲ−ＳＳを用いて復調されてもよい。なお、ＮＲ−ＰＢＣＨは、ＭＲＳを用いて復調されてもよい。
【０２０６】
ＮＲ−ＰＢＣＨは、プライマリーセルで送信される。ＮＲ−ＰＢＣＨは、スタンドアロンセルで送信される。ＮＲ−ＰＢＣＨは、セカンダリーセルでは送信されなくてもよい。ＮＲ−ＰＢＣＨは、非スタンドアロンセルでは送信されなくてもよい。
【０２０７】
＜本実施形態における初期接続プロシージャ＞
初期接続とは、端末装置２がいずれのセルにも接続していない状態（アイドル状態）から、いずれかのセルとの接続を確立した状態（接続状態）に遷移する工程である。以下、図１５を参照して、端末装置２の初期接続プロシージャの一例を説明する。
【０２０８】
図１５は、本実施形態における端末装置２の初期接続プロシージャの一例を示すフローチャートである。図１５に示したプロシージャを実行する端末装置２は、アイドル状態であるものとする。
【０２０９】
図１５に示すように、まず、アイドル状態の端末装置２は、セル選択手続きを行う（ステップＳ１１０）。セル選択手続には、同期信号の検出（ステップＳ１１２）とＰＢＣＨの復号（ステップＳ１１４）の工程が含まれる。端末装置２は、同期信号の検出に基づいて、セルと下りリンクでの同期を行う。そして、下りリンクの同期確立後、端末装置２は、ＰＢＣＨの復号を試みる。
【０２１０】
次いで、端末装置２は、システム情報の取得を行う（ステップＳ１２０）。詳しくは、端末装置２は、ＰＢＣＨを復号することで、ＰＢＣＨにおいて送信された第一のシステム情報を取得する。また、端末装置２は、第一のシステム情報に基づいて、第二のシステム情報を取得する。第一のシステム情報及び第ニのシステム情報については、後に詳しく説明する。
【０２１１】
次に、端末装置２は、第一のシステム情報および／または第二のシステム情報に基づき、ランダムアクセス手続きを行う（ステップＳ１３０）。ランダムアクセス手続きには、ランダムアクセスプリアンブルの送信（ステップＳ１３２）、ランダムアクセス応答の受信（ステップＳ１３４）、Ｍｅｓｓａｇｅ  ３の送信（ステップＳ１３６）、そしてＣｏｎｔｅｎｔｉｏｎ  ｒｅｓｏｌｕｔｉｏｎの受信（ステップＳ１３８）の工程が含まれる。端末装置２は、先ず、所定のＰＲＡＣＨプリアンブルを選択し、送信を行う。次に、端末装置２は、送信したＰＲＡＣＨプリアンブルに対応するランダムアクセス応答を含んだＰＤＳＣＨを受信する。次に、端末装置２は、受信したランダムアクセス応答に含まれた、ランダムアクセスレスポンスグラントによってスケジュールされたリソースを用いて、Ｍｅｓｓａｇｅ  ３を含むＰＵＳＣＨを送信する。最後に、端末装置２は、送信したＰＵＳＣＨに対応するＣｏｎｔｅｎｔｉｏｎ  ｒｅｓｏｌｕｔｉｏｎを含んだＰＤＳＣＨを受信する。
【０２１２】
ランダムアクセス手続きの全ての工程が完了した後は、端末装置２は、そのセルと接続されている状態（即ち、接続状態）に遷移することができる。
【０２１３】
なお、図１５に示したランダムアクセス手続きは、４ステップＲＡＣＨ手続きとも呼称される。一方で、端末装置２がランダムアクセスプリアンブルの送信に伴ってＭｅｓｓａｇｅ  ３の送信も行い、基地局装置１がそれらの応答としてランダムアクセス応答およびＣｏｎｔｅｎｔｉｏｎ  ｒｅｓｏｌｕｔｉｏｎの送信を行うランダムアクセス手続きは、２ステップＲＡＣＨ手続きとも呼称される。
【０２１４】
＜本実施形態におけるＮＲの同期信号ブロックの詳細＞
ＮＲにおいて、１つのＮＲ−ＰＳＳ、１つのＮＲ−ＳＳＳ、および／またはＮＲ−ＰＢＣＨが送信される所定のブロック（以下、同期信号ブロックとも呼称する）が定義される。所定の同期信号ブロックの時間インスタンスにおいて、端末装置２は、ＮＲ−ＳＳおよび／またはＮＲ−ＰＢＣＨが送信されるビームを１つ想定する。１つのＮＲ−ＰＳＳ、１つのＮＲ−ＳＳＳ、および／または１つのＮＲ−ＰＢＣＨは、時分割、周波数分割、空間分割、および／または符号分割によって同期信号ブロック内に多重される。
【０２１５】
なお、同期信号ブロックの中にＭＲＳ（モビリティＲＳ、Mobility  Reference  Signal）が含まれて構成されてもよい。ＭＲＳは、少なくともＲＲＭ測定のために用いられる。端末装置２は、ＭＲＳを用いてＲＳＲＰおよび／またはＲＳＲＱを測定する。ＭＲＳは、ゴールド系列で送信されることが好ましいが、他の系列の種類が用いられてもよい。一例として、ＭＲＳの系列は、時間インデックスによって生成される。別の一例として、ＭＲＳの系列はビームのインデックスによって生成される。端末装置２は、系列のブラインド検出によってそれらのインデックスを通知される。
【０２１６】
図１６は、本実施形態における同期信号ブロックの構成の一例を示す図である。図１６では、１つの同期信号ブロックの中に、ＮＲ−ＰＳＳとＮＲ−ＳＳＳとＮＲ−ＰＢＣＨが時分割によって多重される。端末装置２は、所定の中心周波数および所定の帯域幅で送信されると想定して、ＮＲ−ＳＳの検出およびＮＲ−ＰＢＣＨの受信を行う。
【０２１７】
図１７は、本実施形態における同期信号ブロックの構成の一例を示す図である。図１７の同期信号ブロックでは、ＮＲ−ＳＳおよびＮＲ−ＰＢＣＨは周波数方向に繰り返し送信される。図１７の同期信号ブロックの一例では、周波数軸に同期信号ブロックが５回繰り返される。１つの同期信号ブロックは、端末装置２に規定される最小の受信帯域幅よりも狭帯域であることが好ましい。これにより、図１６の同期信号ブロックと比較してより広帯域に送信することが容易になり、ＮＲ−ＳＳの検出確率およびＮＲ−ＰＢＣＨの受信品質が向上する。
【０２１８】
なお、図１７の周波数軸で異なる同期信号ブロックは、異なるビームによって送信されてもよい。すなわち、端末装置２は、周波数軸で異なる同期信号ブロックは異なるアンテナ、アンテナポート、または、ＴＲＰで送信されると想定してもよい。これにより、ビームスイープする区間が短くなり、システムオーバヘッドが軽減される。
【０２１９】
さらに、ＮＲにおいては、同期信号バースト及び同期信号バーストセットが定義され得る。
【０２２０】
図１８は、本実施形態における同期信号バーストおよび同期信号バーストセットの構成の一例を示す図である。同期信号バーストは、１つまたは複数の同期信号ブロックで構成される。図１８に示した例では、Ｎ個の同期信号ブロックが同期信号バーストとして定義される。同期信号バーストの中の同期信号ブロックのそれぞれは連続してもよい。同期信号バーストセットは、１つまたは複数の同期信号バーストで構成される。図１８に示した例では、Ｍ個の同期信号バーストが１つの同期信号バーストセットとして定義される。
【０２２１】
端末装置２は、同期信号バーストセットが周期的に送信されることを想定し、ＮＲセルとの同期を行う。端末装置２は、同期信号バーストセットを周期的に送信されると想定して処理を行う。一方で、基地局装置１は、同期信号バーストセットを所定の時間インスタンスでは送信しなくてもよい。端末装置２は、初期接続時に、初期周期を想定して同期信号バーストセットの検出を試みる。同期信号バーストセットの周期は、上位層によって設定されてもよい。端末装置２は、上位層によって設定された場合には、設定された周期の値に上書きしてもよい。
【０２２２】
なお、異なる時間インスタンスで送信される同期信号バーストセットでは、同じアンテナポートおよびＴＲＰで送信されなくてもよい。
【０２２３】
なお、同期信号バーストセットが配置されるサブフレームの１つは、サブフレーム＃０であることが好ましい。換言すると、同期信号バーストセットは、サブフレーム＃０に置かれることが好ましい。端末装置２は、同期信号バーストセットの先頭を認識することで、各時間のサブフレーム番号を認知することができる。
【０２２４】
図１９は、本実施形態における同期信号バーストの際の同期信号ブロックの構成の一例を示す図である。図１９に示した例では、同じ帯域幅の同期信号ブロックが時間軸に連続して送信される。各同期信号ブロックの中身は、送信方法によって決まる。例えば、繰り返し送信である場合には、各同期信号ブロックの中身は、同じである。一方で、ビームスイープ送信である場合には、各同期信号ブロックの中身の少なくとも一部は、異なる。同期信号ブロックの中身としては、例えば、ＮＲ−ＳＳの系列、及びＮＲ−ＭＩＢの情報などが挙げられる。
【０２２５】
図２０は、本実施形態における同期信号バーストの際の同期信号ブロックの構成の一例を示す図である。図２０に示した例は、同期信号ブロックが周波数軸および時間軸に繰り返し送信される一例である。また、図２０に示した例では、１つ目の時間インスタンスでは５つの同期信号ブロックが送信され、２つ目および３つ目の時間インスタンスでは１つの同期信号ブロックが送信される。これにより、広帯域を受信する端末装置２に対しては、１つ目の時間インスタンスに配置される５つの同期信号ブロックにより検出品質の向上が可能となる。同時に、狭帯域を受信する端末装置２に対しては、中心周波数に置かれる１つ目から３つ目の時間インスタンスの同期信号ブロックを合成受信させることで、同期信号ブロックの検出品質の向上が可能となる。
【０２２６】
各同期信号ブロックには、時間軸におけるインデックス（例えば、時間インデックス）が割り当てられる。この同期信号ブロックの時間インデックスは、同期信号ブロックによって端末装置２に通知される。端末装置２は、この同期信号ブロックの時間インデックスによって、同期信号ブロックにおける基地局装置１の下りリンク送信ビームや、無線フレームおよび／またはサブフレーム境界を認知することができる。
【０２２７】
同期信号ブロックの時間インデックスは、例えば、サブフレームまたはスロットの境界からのオフセット値である。
【０２２８】
同期信号ブロックの時間インデックスは、例えば、ＯＦＤＭシンボルのインデックスで示される。
【０２２９】
同期信号ブロックの時間インデックスの通知の一例として、ＮＲ−ＳＳの系列による通知が挙げられる。
【０２３０】
同期信号ブロックの時間インデックスの通知の一例として、ＮＲ−ＭＩＢに含まれる情報による通知が挙げられる。
【０２３１】
同期信号ブロックの時間インデックスの通知の一例として、ＮＲ−ＰＢＣＨのビットのマッピング位置による通知が挙げられる。具体例として、同期信号ブロックに含まれるＮＲ−ＰＢＣＨの符号化後ビットのマッピング開始位置によって、端末装置２は、同期信号ブロックの時間インデックスを認知することができる。
【０２３２】
同期信号ブロックの時間インデックスの通知の一例として、ＮＲ−ＰＢＣＨのＣＲＣのマスクによる通知が挙げられる。具体例として、ＮＲ−ＰＢＣＨのＣＲＣビットに、時間インデックスに対応する所定のＣＲＣマスクが乗算されてＮＲ−ＰＢＣＨは送信される。端末装置２は、ＣＲＣビットに乗算される可能性のあるＣＲＣマスクをＣＲＣチェックによりブラインド検出を行う。端末装置２は、ＣＲＣチェックの結果、ＮＲ−ＰＢＣＨの復号に成功したＣＲＣマスクに対応する値によって時間インデックスを認知することができる。
【０２３３】
同期信号ブロックの時間インデックスの通知の一例として、ＭＲＳの系列による通知が挙げられる。
【０２３４】
なお、単一ビーム運用の場合には、同期信号ブロックの時間インデックスは端末装置２に対して通知されなくてもよい。
【０２３５】
＜本実施形態におけるシステム情報＞
システム情報は、当該システム情報の送信対象のセルにおける設定を報知する情報である。システム情報には、例えば、当該システム情報の送信対象のセルへのアクセスに関する情報、セル選択に関する情報、他ＲＡＴや他システムに関する情報、などが含まれる。システム情報は、制御情報として捉えられてもよい。
【０２３６】
システム情報は、ＭＩＢとＳＩＢとに分類することができる。ＭＩＢは、ＰＢＣＨによって報知される、固定のペイロードサイズの情報である。ＭＩＢには、ＳＩＢを取得するための情報が含まれる。ＳＩＢは、ＭＩＢ以外のシステム情報である。ＳＩＢは、ＰＤＳＣＨによって報知されてもよい。
【０２３７】
また、システム情報は、第一のシステム情報（第一の制御情報に相当）と第二のシステム情報（第二の制御情報に相当）と第三のシステム情報（第三の制御情報に相当）とに分類することができる。第一のシステム情報および第二のシステム情報は、当該システム情報の送信対象のセルへのアクセスに関する情報、その他のシステム情報の取得に関する情報、およびセル選択に関する情報が含まれる。ＬＴＥにおいて、ＭＩＢに含まれる情報が第一のシステム情報、ＳＩＢ１およびＳＩＢ２に含まれる情報が第二のシステム情報であるとみなすことができる。端末装置２は、あるセルから第一のシステム情報および第二のシステム情報の全てを取得できなかった場合は、当該セルへのアクセスは禁止されていると想定する。第三のシステム情報は、上記第一のシステム情報及び第二のシステム情報以外のシステム情報である。
【０２３８】
ＭＩＢは、システム情報を受信するのに必要な物理層の情報であり、下りリンクのシステム帯域幅、システムフレーム番号の一部、ＳＩＢのスケジューリング情報、などを含む。
【０２３９】
ＳＩＢ１は、セルのアクセス規制情報とＳＩＢ１以外のシステム情報のスケジューリング情報であり、セルのアクセス情報、セル選択情報、最大上りリンク送信電力情報、ＴＤＤ設定情報、システム情報の周期、システム情報のマッピング情報、ＳＩ窓の長さ、などを含む。
【０２４０】
ＳＩＢ２は、接続禁止情報、共通の無線リソース設定情報（radioResourceConfigCommon）、上りリンクキャリア情報、などを含む。共通の無線リソース設定情報の中には、セル共通のＰＲＡＣＨおよびＲＡＣＨの設定情報が含まれる。端末装置２は、初期アクセスの際に、ＳＩＢ２から取得したＰＲＡＣＨおよびＲＡＣＨの設定情報に基づいて、ランダムアクセス手続きを行う。
【０２４１】
＜本実施形態におけるＮＲのシステム情報＞
ＮＲにおいても、システム情報はＮＲセルから報知される。
【０２４２】
システム情報を運ぶ物理チャネルは、スロットまたはミニスロットで送信されてもよい。ミニスロットとは、スロットのシンボル数よりも少ないシンボル数で定義される。ミニスロットでシステム情報を運ぶ物理チャネルが送信されることで、ビームスイープに必要な時間が短縮されて、オーバヘッドを縮小することができる。
【０２４３】
・第一のシステム情報及び第二のシステム情報
第一のシステム情報は、ＮＲ−ＰＢＣＨで送信され、第二のシステム情報は、ＮＲ−ＰＢＣＨとは異なる物理チャネルで送信される。
【０２４４】
ＮＲにおいて、第一のシステム情報は、端末グループに固有の情報を含むことが好ましい。基地局装置１は、第一のシステム情報を、端末グループへ送信する。より詳しくは、基地局装置１は、端末グループに固有の情報を含む第一のシステム情報を、当該端末グループへ送信する。端末グループとは、ひとつ以上の端末装置２を含むグループである。一方で、端末装置２は、自身を含むひとつ以上の端末装置２が属する端末グループへ送信された第一のシステム情報を受信する。より詳しくは、端末装置２は、自身が属する端末グループに固有の情報を含む第一のシステム情報を受信する。
【０２４５】
端末グループは、例えば、所定のビームによってグループ化された複数の端末装置２が属するグループである。具体的には、端末グループには、基地局装置１が送信する所定のビームを受信可能な複数の端末装置２の全部又は一部が属してもよい。換言すると、端末グループには、基地局装置１が送信する所定のビームの照射範囲内に位置する複数の端末装置２の全部又は一部が属してもよい。これらの場合、端末グループに属する各々の端末装置２は、所定のビームに関する識別子を認識する。具体的には、端末装置２は、受信に成功したビームに関する識別子を認識する。受信に成功したビームに関する識別子を認識することは、自身が属する端末グループを認識することとも捉えることが可能である。
【０２４６】
端末グループは、例えば、所定のＴＲＰによってグループ化された複数の端末装置２が属するグループであってもよい。具体的には、端末グループは、所定のＴＲＰと通信可能な複数の端末装置２の全部又は一部が属してもよい。その場合、端末グループに属する各端末装置２は、所定のＴＲＰに関する識別子を認識する。具体的には、端末装置２は、通信可能なＴＲＰに関する識別子を認識する。通信可能なＴＲＰに関する識別子を認識することは、自身が属する端末グループを認識することとも捉えることが可能である。
【０２４７】
端末グループは、例えば、所定のセルによってグループ化された複数の端末装置２が属するグループであってもよい。具体的には、端末グループには、所定のセルに接続する複数の端末装置２の全部又は一部が属してもよい。その場合、端末グループに属する各端末装置２は、所定のセルに関する識別子を認識する。具体的には、端末装置２は、自身が接続するセルに関する識別子を認識する。自身が接続するセルに関する識別子を認識することは、自身が属する端末グループを認識することとも捉えることが可能である。
【０２４８】
上述した、端末装置２が認識する識別子は、端末装置２が属する端末グループに固有の情報である。例えば、端末装置２が認識する識別子は、上述した同期信号ブロックのインデックス（例えば、時間インデックス）であってもよい。換言すると、同期信号ブロックのインデックスは、端末グループに固有の情報として捉えられてもよい。
【０２４９】
例えば、基地局装置１は、ビームごとに異なる同期信号ブロックを、ビームを用いて送信する。そして、端末装置２は、受信に成功したビームを用いて送信された同期信号ブロックのインデックスを認識する。このことから、端末グループに固有の情報は、当該端末グループに属する複数の端末装置２が受信可能なビームに固有の情報である、と言える。
【０２５０】
例えば、ＴＲＰは、ＴＲＰごとに異なる同期信号ブロックを送信する。そして、端末装置２は、通信可能なＴＲＰから送信された同期信号ブロックのインデックスを認識する。このことから、端末グループに固有の情報は、当該端末グループに属する複数の端末装置２が通信可能なＴＲＰに固有の情報である、と言える。
【０２５１】
例えば、基地局装置１は、自身が運用するセルにおいてセルごとに異なる同期信号ブロックを送信する。そして、端末装置２は、接続するセルにおいて送信された同期信号ブロックのインデックスを認識する。このことから、端末グループに固有の情報は、当該端末グループに属する複数の端末装置２が接続するセルに固有の情報である、と言える。
【０２５２】
なお、同期信号ブロックのインデックスは、第一の制御情報の一部として捉えられてもよい。
【０２５３】
第一のシステム情報は、少なくとも第二のシステム情報の取得に必要な情報を含む。
【０２５４】
一例として、第一のシステム情報は、第二のシステム情報を運ぶ物理チャネルに関する情報を含む。詳しくは、以下で説明する。
【０２５５】
一例として、第一のシステム情報は、第二のシステム情報を運ぶ物理チャネルのスケジューリング情報を含む。スケジューリング情報としては、例えば、周期および時間オフセット、中心周波数、及び帯域幅などが挙げられる。
【０２５６】
一例として、第一のシステム情報は、第二のシステム情報を運ぶ物理チャネルの伝送方式に関する情報を含む。物理チャネルの伝送方式に関する情報としては、例えば、当該物理チャネルのアンテナポート数、アンテナポート番号、ＳＦＢＣ（Space  Frequency  Block  Coding）やＦＳＴＤ（Frequency-Switched  Transmit  Diversity）やＣＤＤ（Cyclic  Delay  Diversity）などの伝送スキームに関する情報、及びＣＲＣに関する情報などが挙げられる。
【０２５７】
一例として、第一のシステム情報は、システムフレーム番号を含む。
【０２５８】
一例として、第一のシステム情報は、少なくとも第二のシステム情報を運ぶ物理チャネルの送信に用いられるサブキャリア間隔に関する情報を含む。
【０２５９】
一例として、第一のシステム情報は、共通制御サブバンドの設定情報を含む。
【０２６０】
第一のシステム情報および／または第二のシステム情報は、少なくともランダムアクセス手続きに関する情報を含む。ランダムアクセス手続きに関する情報は、具体的には、ＮＲ−ＰＲＡＣＨおよびＮＲ−ＲＡＣＨの設定情報である。
【０２６１】
ＮＲ−ＰＲＡＣＨおよびＮＲ−ＲＡＣＨの設定情報としては、ＮＲ−ＰＲＡＣＨの系列に関する情報、ＮＲ−ＰＲＡＣＨのリソースに関する情報、及びＮＲ−ＰＲＡＣＨの繰り返し送信に関する情報などが挙げられる。
【０２６２】
一例として、第二のシステム情報は、セル選択に関する情報を含む。セル選択に関する情報としては、例えば、セル選択の評価に関する設定情報、隣接（neighbor）セルのアクセス権に関する設定情報、及び隣接セルのＮＲ−ＳＳのリソースに関する設定情報などが挙げられる。
【０２６３】
セル選択の評価に関する設定情報としては、セル選択の評価の閾値、及びセルレンジ拡張のためのオフセットなどが挙げられる。
【０２６４】
隣接セルのアクセス権に関する設定情報としては、アクセス拒否されるセルのリスト（black  list）などが挙げられる。
【０２６５】
隣接セルのＮＲ−ＳＳのリソースに関する設定情報としては、ＮＲ−ＳＳの周波数位置に関する情報、及びＮＲ−ＳＳバーストセットの周期の情報などが挙げられる。
【０２６６】
第二のシステム情報を運ぶ物理チャネルの一例として、ＮＲ−ＳＰＢＣＨ（NR-Secondary  Physical  Broadcast  Channel）が挙げられる。ＮＲ−ＳＰＢＣＨは、ＮＲ−ＰＤＣＣＨによってスケジュールされないチャネルである。ＮＲ−ＳＰＢＣＨで運ばれる情報は、固定のペイロードサイズである。ＮＲ−ＳＰＢＣＨは、周期的に送信される。ＮＲ−ＳＰＢＣＨとＮＲ−ＰＢＣＨは、ペイロードサイズ、リソースマッピング、及び周期の点において異なる。
【０２６７】
第二のシステム情報を運ぶ物理チャネルの一例として、ＮＲ−ＰＤＳＣＨが挙げられる。そのＮＲ−ＰＤＳＣＨは、ＳＩ−ＲＮＴＩでスクランブルされたＣＲＣが付加されたＮＲ−ＰＤＣＣＨによってスケジュールされる。なお、ＮＲ−ＰＤＳＣＨで運ばれる情報は、ＬＤＰＣ符号で符号化される。
【０２６８】
第二のシステム情報を運ぶ物理チャネルは、ＱＰＳＫで送信されることが好ましいが、１６ＱＡＭや６４ＱＡＭなど、その他の変調方式で送られてもよい。
【０２６９】
ＮＲにおいて、第二のシステム情報は、端末グループ固有の情報を含むことが好ましい。基地局装置１は、第二のシステム情報を、端末グループへ送信する。より詳しくは、基地局装置１は、端末グループに固有の情報を含む第二のシステム情報を、当該端末グループへ送信する。一方で、端末装置２は、自身を含むひとつ以上の端末装置２が属する端末グループへ送信された第二のシステム情報を受信する。より詳しくは、端末装置２は、自身が属する端末グループに固有の情報を含む第二のシステム情報を受信する。
【０２７０】
端末グループに関しては、上記説明した通りである。即ち、端末グループは、例えば、所定のビームによってグループ化された複数の端末装置２が属するグループであってもよく、その場合、端末グループに属する各々の端末装置２は、所定のビームに関する識別子を認識する。また、端末グループは、例えば、所定のＴＲＰによってグループ化された複数の端末装置２が属するグループであってもよく、その場合、端末グループに属する各端末装置２は、所定のＴＲＰに関する識別子を認識する。また、端末グループは、例えば、所定のセルによってグループ化された複数の端末装置２が属するグループであってもよく、その場合、端末グループに属する各端末装置２は、所定のセルに関する識別子を認識する。
【０２７１】
基地局装置１は、端末グループに固有の情報に基づいて第二のシステム情報を当該端末グループへ送信する。そして、端末装置２は、自身が属する端末グループへ送信された第二のシステム情報を当該端末グループに固有の情報に基づいて受信する。ここでの端末グループに固有の情報とは、例えば、端末グループ向けに送信された同期信号ブロックに関する情報である。具体的には、端末グループに固有の情報は、当該端末グループに属する端末装置２が受信可能なビームを用いて送信される同期信号ブロックに関する情報であってもよい。また、端末グループに固有の情報は、当該端末グループに属する端末装置２が通信可能なＴＲＰから送信される同期信号ブロックに関する情報であってもよい。また、端末グループに固有の情報は、当該端末グループに属する端末装置２が接続するセルにおいて送信される同期信号ブロックに関する情報であってもよい。以下、端末グループに固有の情報に基づく第二のシステム情報の送信及び受信について説明する。
【０２７２】
ＮＲにおいて、第二のシステム情報を運ぶ物理チャネルと、第一のシステム情報を運ぶ物理チャネルとは対応付けられる。端末装置２は、第一のシステム情報を運ぶ物理チャネルに基づいて、第二のシステム情報の復号を行う。
【０２７３】
図２１は、本実施形態における同期信号ブロックに対応するシステム情報の一例を示す図である。図２１に示した例では、同期信号ブロック＃１から同期信号ブロック＃Ｎが送信され、その後、システム情報＃１からシステム情報＃Ｎが送信される。同期信号ブロック＃１はシステム情報＃１と対応付けられ、同期信号ブロック＃２はシステム情報＃２と対応付けられ、といったように、同期信号ブロックとシステム情報とが一対一に対応付けられる。端末装置２は、所定の同期信号ブロックを受信した場合に、当該所定の同期信号ブロックに基づいて、対応するシステム情報の復号を行う。
【０２７４】
これにより、端末装置２は、受信した同期信号ブロックに紐づくシステム情報を取得すると同時に、受信できなかった同期信号ブロックに紐づくシステム情報を取得することが困難となる。すなわち、端末装置２は、当該端末装置２に適したシステム情報を取得し、当該端末装置２に適さないシステム情報は取得しなくてよい。換言すると、端末装置２は、当該端末装置２に適したシステム情報のみを取得することが可能である。
【０２７５】
続いて、図２２を参照して、図２１に示した同期信号ブロックに対応するシステム情報の送信処理の流れを説明する。
【０２７６】
図２２は、本実施形態における同期信号ブロックに対応するシステム情報の送信処理の流れの一例を示すシーケンス図である。本シーケンスには、基地局装置１及び端末装置２が関与する。図２２に示すように、まず、基地局装置１は、＃１から＃ＮまでのＳＳ（Synchronization  Signal：同期信号）ブロックをそれぞれ送信する（ステップＳ２０２）。端末装置２は、ＳＳブロックに含まれるＮＲ−ＳＳの受信品質やＮＲ−ＰＢＣＨの復号結果に基づいて、当該端末装置２にとって適したＳＳブロックを選択する。次いで、基地局装置１は、＃１から＃Ｎまでのシステム情報を含んだ物理チャネルをそれぞれ送信する（ステップＳ２０４）。端末装置２は、選択したＳＳブロックから得られた情報を用いて、＃１から＃Ｎまでのシステム情報のうちの、選択したＳＳブロックに対応付けられた１つのシステム情報を受信する。
【０２７７】
対応付けの一例として、第二のシステム情報を運ぶ物理チャネルのリソースは、第一のシステム情報を運ぶ物理チャネルに基づいて定まる。
【０２７８】
一例として、第二のシステム情報を運ぶ物理チャネルのリソースは、ＮＲ−ＰＢＣＨに含まれるＮＲ−ＭＩＢによって指示される。当該リソースに関する情報は、周期および時間オフセット、帯域幅、中心周波数またはリソースブロック、繰り返し回数のうちの一部または全部である。
【０２７９】
一例として、第二のシステム情報を運ぶ物理チャネルのリソースは、ＮＲ−ＰＢＣＨが復号された条件に基づいて定められる。当該条件とは、例えば、時間インデックスである。具体的には、時間インデックスに対応する時間および／または周波数リソースの対応関係が定められ、時間インデックスの値に基づいて、当該リソースが決定される。端末装置２は、ＮＲ−ＰＢＣＨが検出された時間インデックスに基づいて、数サブフレーム後の物理チャネルの復号を試みる。
【０２８０】
一例として、第二のシステム情報を運ぶ物理チャネルのリソースは、所定のリソースで固定される。例えば、当該リソースは、先頭サブフレームに必ず配置される。
【０２８１】
一例として、第二のシステム情報を運ぶ物理チャネルのリソースは、ＣＳＳに配置されるＮＲ−ＰＤＣＣＨのＤＣＩによってスケジュールされる。この場合、ＣＳＳが置かれる共通制御サブバンドは、ＮＲ−ＰＢＣＨに含まれるＮＲ−ＭＩＢによって設定される。共通制御サブバンドは、端末装置２共通または端末グループ共通に設定される制御サブバンドである。共通制御サブバンドの設定情報としては、例えば、制御サブバンドの帯域幅またはＰＲＢ、サブキャリア間隔、ＣＰ長、及び共通制御サブバンドの時間区間またはシンボル数などが挙げられる。共通制御サブバンドの設定情報の一部または全部は、同期信号ブロックごとに異なってもよい。すなわち、共通制御サブバンドの設定は、同期信号ブロックに対して独立であってもよい。
【０２８２】
また、対応付けの一例として、第二のシステム情報を運ぶ物理チャネルは、第一のシステム情報を運ぶ物理チャネルの情報に基づいて暗号化又は符号化される。そして、第二のシステム情報を運ぶ物理チャネルは、第一のシステム情報を運ぶ物理チャネルの情報に基づいて復号される。第二のシステム情報を運ぶ物理チャネルの情報には、例えば、同期信号ブロックの識別情報が用いられる。同期信号ブロックの識別情報としては、例えば、当該同期信号ブロックの時間インデックスが挙げられる。換言すると、第二のシステム情報を運ぶ物理チャネルは、端末グループに固有の情報に基づいて暗号化又は符号化され、復号化され得る。この点について、以下で詳しく説明する。
【０２８３】
一例として、第一のシステム情報を運ぶ物理チャネルの情報は、第二のシステム情報を運ぶ物理チャネルのスクランブルに用いられる。具体的な一例として、同期信号ブロックの識別情報は、スクランブル系列cの初期値cinitの算出に用いられる。なお、スクランブルは、例えば下記の数式（１）によって行われる。
【０２８４】
【数１】
2018110357.tif 000003
【０２８５】
ここで、上記数式（１）のa(i)は、スクランブル処理前のビット列のi番目のビットであり、b(i)は、スクランブル処理後のビット列のi番目のビットであり、c(i)は、スクランブル系列のi番目のビットである。
【０２８６】
一例として、第一のシステム情報を運ぶ物理チャネルの情報は、第二のシステム情報を運ぶ物理チャネルのＣＲＣマスクの決定に用いられる。ＣＲＣは、ＣＲＣマスクによってスクランブルされる。
【０２８７】
一例として、同期信号ブロックの識別情報は、複数のＣＲＣマスクのうちの１つのＣＲＣマスクを決定する際に用いられる。同期信号ブロックの識別情報とＣＲＣマスクの対応表が定義され、所定の識別情報に対してＣＲＣマスクのビット列が一意に決定される。表１は、時間インデックスとＣＲＣマスクの対応表の一例を示す図である。＃０から＃Ｎまでの時間インデックスに対してそれぞれＣＲＣマスクのビット列が対応付けられている。端末装置２は、取得した時間インデックスの値と、ＣＲＣマスクとの対応表から、ＣＲＣマスクのビット列を取得する。
【０２８８】
なお、このＣＲＣマスクは、第二のシステム情報を運ぶ物理チャネルをスケジュールする制御チャネルに適用されてもよい。
【０２８９】
なお、このＣＲＣマスクの候補は、符号間距離が長いビット列が採用されることが好ましい。
【０２９０】
【表１】
2018110357.tif 000004
【０２９１】
一例として、同期信号ブロックの識別情報は、ＳＩ−ＲＮＴＩの値の算出に用いられる。具体的な一例として、ＳＩ−ＲＮＴＩは、次式ＳＩ−ＲＮＴＩ＝Ａ・時間インデックス＋Ｃによって算出される。ここで、「Ａ」および「Ｃ」は所定の定数である。端末装置２は、このＳＩ−ＲＮＴＩをビット列に変換したＣＲＣマスクによってＣＲＣをデスクランブルする。
【０２９２】
以上説明したように、本実施形態では、端末グループに固有の情報を含むシステム情報が、当該端末グループに対して送信される。このことが有益となるユースケースは多様に考えられる。
【０２９３】
一例として、スモールセルに固有の情報を含む第一のシステム情報及び第二のシステム情報が、当該スモールセルに接続する複数の端末装置２へ送信されるユースケースが考えられる。例えば、マクロセルで共通する情報がマクロセルのシステム情報として送信され、スモールセル同士で異なる情報が第一のシステム情報及び第二のシステム情報として送信される。これにより、システム情報の送信に関するオーバヘッドが削減されるので、システム全体の伝送効率を向上させることが可能である。
【０２９４】
他の一例として、ビームに固有の情報を含む第一のシステム情報及び第二のシステム情報が、当該ビームを用いて通信する複数の端末装置２へ送信されるユースケースが考えられる。このケースでも同様に、システム情報の送信に関するオーバヘッドが削減されるので、システム全体の伝送効率を向上させることが可能である。
【０２９５】
・第三のシステム情報
更に、ＮＲにおいて、第一のシステム情報及び第二のシステム情報以外のシステム情報（即ち、第三のシステム情報）も報知される。第三のシステム情報としては、例えば、ＭＢＭＳに関する情報、サイドリンク通信に関する情報、及び緊急警報に関する情報などが挙げられる。
【０２９６】
第三のシステム情報は、ＮＲ−ＰＤＳＣＨによって送信される。ＮＲ−ＰＤＳＣＨは、ＳＩ−ＲＮＴＩでスクランブルされたＣＲＣが付加されたＤＣＩでスケジュールされる。
【０２９７】
第三のシステム情報は、システム情報の要求条件の違いから、更に複数のシステム情報に分割されることが好ましい。分割されたシステム情報は、システム情報ブロックとも呼称される。分割された第三のシステム情報のブロックのそれぞれは、それぞれのＮＲ−ＰＤＳＣＨによって送信される。異なるシステム情報ブロックは、異なる周期で報知される。
【０２９８】
各システム情報ブロックは、固有のＳＩ−ＲＮＴＩが対応されてもよい。すなわち、異なるシステム情報ブロックが含まれるＮＲ−ＰＤＳＣＨをスケジュールするＮＲ−ＤＣＩは、異なるＳＩ−ＲＮＴＩでスクランブルされたＣＲＣが付加される。
【０２９９】
第三のシステム情報は、周期的に送信されなくてもよいし、報知されなくてもよい。一例として、第三のシステム情報は、制御情報を送信するよう要求する制御情報要求に応じて送信されてもよい。この制御情報要求は、システム情報要求（SI  request）とも称され得る。システム情報要求を受けた基地局装置１は、システム情報要求に応じて第三のシステム情報を送信する。当該第三のシステム情報は、複数の端末装置２に対して報知されてもよいし、システム情報要求の送信元の端末装置２に対して専用に通知されてもよい。例えば、基地局装置１は、システム情報要求を受信し、システム情報要求に基づく第三のシステム情報を、システム情報要求の送信元の端末装置２又は送信元の端末装置２が属する端末グループへ送信する。一方で、端末装置２は、システム情報要求を送信し、端末装置２又は端末装置２が属する端末グループへ送信される、システム情報要求に基づく第三のシステム情報を受信する。
【０３００】
図２３は、本実施形態におけるシステム情報要求に対応するシステム情報の一例を示す図である。図２３に示したシステム情報＃１とシステム情報＃２とは、異なるシステム情報ブロックである。また、システム情報＃１は、システム情報要求＃１に対応し、システム情報＃２は、システム情報要求＃２に対応する。図２３に示すように、各端末装置２は、システム情報（ＳＩ）要求窓の期間に、所望するシステム情報に対応付けられたシステム情報要求を、基地局装置１に対して送信する。基地局装置１は、各端末装置２から送信されたシステム情報要求を正常に検出できた場合、所定のシステム情報（ＳＩ）窓の期間に、要求されたシステム情報を送信する。システム情報は、セル内の端末装置２全体に対して送信されてもよいし、所定の端末グループに対して送信されてもよい。端末装置２は、システム情報窓の期間に、システム情報の取得を試みる。
【０３０１】
続いて、図２４を参照して、図２３に示したシステム情報要求に対応するシステム情報の送信処理の流れを説明する。
【０３０２】
図２４は、本実施形態におけるシステム情報要求に対応するシステム情報の送信処理の流れの一例を示すシーケンス図である。図２４に示したシステム情報＃１とシステム情報＃２とは、異なるシステム情報ブロックである。また、システム情報＃１は、システム情報（ＳＩ）要求＃１に対応し、システム情報＃２は、システム情報（ＳＩ）要求＃２に対応する。まず、第一の端末装置２−１は、システム情報要求窓の期間に、システム情報要求＃１を基地局装置１に対して送信する（ステップＳ３０２）。また、第二の端末装置２−２は、システム情報要求窓の期間に、システム情報要求＃１およびシステム情報要求＃２を基地局装置１に対して送信する（ステップＳ３０４、Ｓ３０６）。基地局装置１は、それらのシステム情報要求を正常に検出できた場合、システム情報窓の期間に、システム情報＃１を第一の端末装置２−１および第二の端末装置２−２に送信し（ステップＳ３０８）、システム情報＃２を第二の端末装置２−２に送信する（ステップＳ３１０）。なお、システム情報＃２は、第一の端末装置２に送信されてもよく、端末装置２は、システム情報＃２の取得を試みてもよい。
【０３０３】
・システム情報要求
端末装置２からのシステム情報要求に用いられる上りリンクチャネルまたは信号としては、ＮＲ−ＰＲＡＣＨ、ＮＲ−ＳＲＳ、ＮＲ−ＰＵＣＣＨ、及びＮＲ−ＰＵＳＣＨなどが挙げられる。
【０３０４】
アイドルモードまたはインアクティブモードの端末装置２においては、ＮＲ−ＰＲＡＣＨによってシステム情報要求が行われることが好ましい。換言すると、端末装置２は、自身がアイドルモード又はインアクティブモードである場合、ランダムアクセスプリアンブルを送信するための物理チャネルにおいてシステム情報要求を送信することが望ましい。この場合、ＮＲ−ＰＲＡＣＨのプリアンブルおよび／またはＮＲ−ＰＲＡＣＨリソースと要求するシステム情報ブロックのタイプが関連付けられる。端末装置２は、所定のシステム情報を所望する場合、要求するシステム情報に対応するＮＲ−ＰＲＡＣＨプリアンブルおよび／またはＮＲ−ＰＲＡＣＨリソースを用いて、ＮＲ−ＰＲＡＣＨを送信する。これにより、端末装置２は、所望する情報に応じてＮＲ−ＰＲＡＣＨプリアンブルを送信することで、所望する情報を得ることが可能となる。これにより、システム情報要求を別途送信する場合と比較して、オーバヘッドを削減することが可能となる。
【０３０５】
接続モードの端末装置２においては、ＮＲ−ＰＵＣＣＨまたはＮＲ−ＰＵＳＣＨによってシステム情報要求が行われることが好ましい。この場合、要求するシステム情報のタイプの情報が基地局装置１に通知される。
【０３０６】
システム情報要求送信プロセスの一例を示す。先ず、端末装置２は、第一のシステム情報および／または第二のシステム情報から第三のシステム情報の放送（broadcast）状態を取得する。所望のシステム情報が放送されている場合は、端末装置２は、設定されたスケジューリング情報（システム情報の周期およびＳＩ窓の区間）に基づいてシステム情報の取得を試みる。一方で、所望のシステム情報が放送されていない場合は、端末装置２は、設定されたシステム情報要求窓（SI  request  window）の中で所望のシステム情報要求を行い、ＳＩ窓内で送信される所望のシステム情報の取得を試みる。
【０３０７】
システム情報要求送信プロセスの別の一例を示す。先ず、端末装置２は、第一のシステム情報および／または第二のシステム情報から第三のシステム情報の放送状態を取得する。所望のシステム情報が放送されている場合は、端末装置２は、設定されたスケジューリング情報（システム情報の周期およびＳＩ窓の区間）に基づいてシステム情報の取得を試みる。一方で、所望のシステム情報が放送されていない場合は、端末装置２は、ＳＩ窓内で所望のシステム情報の取得を試みる。そして、所望のシステム情報が所定回数連続で読めなかった場合に、設定されたシステム情報要求窓（SI  request  window）の中で所望のシステム情報要求を行い、ＳＩ窓内で送信される所望のシステム情報の取得を試みる。なお、上記所定回数は、第一のシステム情報または第二のシステム情報によって設定されてもよい。
【０３０８】
システム情報要求に対するシステム情報送信プロセスの一例を示す。基地局装置１は、システム情報要求を正常に受信した後に、受信したシステム情報要求に対応する第三のシステム情報を周期的に放送する。同時に、基地局装置１は、第三のシステム情報の放送状態を表すフィールドに対して、放送されていないことを示す状態から放送されていることを示す状態に更新する。また、基地局装置１は、受信したシステム情報要求に対応する第三のシステム情報を、システム情報要求を受けた後の直近のシステム情報窓から送信する。もしくは、基地局装置１は、受信したシステム情報要求に対応する第三のシステム情報を、システム情報要求を受けてから変更区間（modification  period）経過後のシステム情報窓から送信する。一方、端末装置２は、システム情報窓の区間で、第三のシステム情報の取得を試みる。
【０３０９】
システム情報要求に対するシステム情報送信プロセスの別の一例を示す。基地局装置１は、システム情報要求を正常に受信した後に、受信したシステム情報要求に対応する第三のシステム情報を所定回数送信する。基地局装置１は、所定回数送信を終えた後は、第三のシステム情報の送信を停止する。上記所定回数は、例えば、ＮＲ−ＰＤＳＣＨの冗長バージョンの数である。上記所定回数は、例えば、第一のシステム情報および／または第二のシステム情報で設定される。一方、端末装置２は、システム情報窓の区間で、その第三のシステム情報の取得を試みる。
【０３１０】
なお、上記の一例において、端末装置２は、システム情報の受信に対するＨＡＲＱ応答を送信してもよい。端末装置２は、当該端末装置２個別に設定もしくは関連付けられたＮＲ−ＰＲＡＣＨ、ＮＲ−ＰＵＳＣＨ、またはＮＲ−ＰＵＣＣＨリソースを用いて、システム情報の受信に対するＨＡＲＱ応答を送ることができる。基地局装置１は、ＨＡＲＱ応答を受信することで、システム情報の送信または停止の判断を行うことができる。これにより、各端末装置２が正常にシステム情報を取得できたことを基地局装置１が認知することが可能となり、より効率の良い放送が可能となる。
【０３１１】
所望のシステム情報が取得できた場合は、端末装置２の消費電力や無線リソースの効率化を考慮すると、所定の時間はシステム情報要求が送信されないことが好ましい。当該所定の時間は、例えば、取得した時間からの相対時間で表されるタイマーである。当該所定の時間は、例えば、所定のシステムフレーム番号などの絶対時間で表される。当該所定の時間は、例えば、システム情報の変更区間である。当該所定の時間は、例えば、ページングなどによりＳＩ変更の通知がされるまでである。
【０３１２】
システム情報要求窓の情報は、第一のシステム情報および／または第二のシステム情報に含まれる。システム情報要求窓は、所定の周期、所定の時間オフセットかつ所定の区間で設定される。所定の周期に関する情報は、例えば、システムフレーム番号で表される。所定の区間に関する情報は、例えば、サブフレーム数またはスロット数で表される。また、システム情報要求窓は、更に基地局装置１の受信ビームに関する情報に基づいて決定されてもよい。基地局装置１の受信ビームに関する情報としては、例えば、時間インデックスが挙げられる。
【０３１３】
システム情報要求に対応するシステム情報窓の情報は、第一のシステム情報および／または第二のシステム情報に含まれる。システム情報窓は、所定の周期、所定の時間オフセットかつ所定の区間で設定される。所定の周期に関する情報は、例えば、システムフレーム番号で表される。所定の区間に関する情報は、例えば、サブフレーム数またはスロット数で表される。また、システム情報窓は、更に基地局装置１の受信ビームに関する情報に基づいて決定されてもよい。基地局装置１の受信ビームに関する情報としては、例えば、時間インデックスが挙げられる。
【０３１４】
端末装置２は、システム情報要求を送る前に、ブロードキャストＨＡＲＱプロセスをフラッシュ（flush）する。ブロードキャストＨＡＲＱプロセスは、システム情報の受信のためのＨＡＲＱプロセスである。
【０３１５】
なお、第一のシステム情報と第二のシステム情報とは、同じ物理チャネルで送られてもよい。例えば、第一のシステム情報と第二のシステム情報とは、ＮＲ−ＰＢＣＨで送られてもよい。
【０３１６】
＜＜３．応用例＞＞
本開示に係る技術は、様々な製品へ応用可能である。例えば、基地局装置１は、マクロｅＮＢ又はスモールｅＮＢなどのいずれかの種類のｅＮＢ（evolved  Node  B）として実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、基地局装置１は、ＮｏｄｅＢ又はＢＴＳ（Base  Transceiver  Station）などの他の種類の基地局として実現されてもよい。基地局装置１は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、基地局装置１として動作してもよい。
【０３１７】
また、例えば、端末装置２は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、端末装置２は、Ｍ２Ｍ（Machine  To  Machine）通信を行う端末（ＭＴＣ（Machine  Type  Communication）端末ともいう）として実現されてもよい。さらに、端末装置２は、これら端末に搭載される無線通信モジュール（例えば、１つのダイで構成される集積回路モジュール）であってもよい。
【０３１８】
＜３．１．基地局装置に関する応用例＞
（第１の応用例）
図２５は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０３１９】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図２５に示したように複数のアンテナ８１０を有し、複数のアンテナ８１０は、例えばｅＮＢ８００が使用する複数の周波数帯域にそれぞれ対応してもよい。なお、図２５にはｅＮＢ８００が複数のアンテナ８１０を有する例を示したが、ｅＮＢ８００は単一のアンテナ８１０を有してもよい。
【０３２０】
基地局装置８２０は、コントローラ８２１、メモリ８２２、ネットワークインタフェース８２３及び無線通信インタフェース８２５を備える。
【０３２１】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０３２２】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０３２３】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０３２４】
無線通信インタフェース８２５は、図２５に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図２５に示したように複数のＲＦ回路８２７を含み、複数のＲＦ回路８２７は、例えば複数のアンテナ素子にそれぞれ対応してもよい。なお、図２５には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０３２５】
図２５に示したｅＮＢ８００において、図８を参照して説明した上位層処理部１０１、制御部１０３、受信部１０５及び／又は送信部１０７は、無線通信インタフェース８２５（例えば、ＢＢプロセッサ８２６及び／又はＲＦ回路８２７）、コントローラ８２１及び／又はネットワークインタフェース８２３において実装されてもよい。例えば、無線通信インタフェース８２５、コントローラ８２１及び／又はネットワークインタフェース８２３は、第一の制御情報及び第二の制御情報を送信したり、制御情報要求を受信して対応する第三の制御情報を送信したりする。例えば、無線通信インタフェース８２５に含まれるプロセッサにおいて、これらの動作を行うための機能が実装されてもよい。このような動作を行う装置として、ｅＮＢ８００、基地局装置８２０又は上記モジュールが提供されてもよく、プロセッサに上記動作を行わせるためのプログラムが提供されてもよい。また、上記プログラムを記録した読み取り可能な記録媒体が提供されてもよい。また、送受信アンテナ１０９は、アンテナ８１０において実装されてもよい。
【０３２６】
（第２の応用例）
図２６は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０３２７】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図２６に示したように複数のアンテナ８４０を有し、複数のアンテナ８４０は、例えばｅＮＢ８３０が使用する複数の周波数帯域にそれぞれ対応してもよい。なお、図２６にはｅＮＢ８３０が複数のアンテナ８４０を有する例を示したが、ｅＮＢ８３０は単一のアンテナ８４０を有してもよい。
【０３２８】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図２５を参照して説明したコントローラ８２１、メモリ８２２及びネットワークインタフェース８２３と同様のものである。
【０３２９】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図２５を参照して説明したＢＢプロセッサ８２６と同様のものである。無線通信インタフェース８５５は、図２６に示したように複数のＢＢプロセッサ８５６を含み、複数のＢＢプロセッサ８５６は、例えばｅＮＢ８３０が使用する複数の周波数帯域にそれぞれ対応してもよい。なお、図２６には無線通信インタフェース８５５が複数のＢＢプロセッサ８５６を含む例を示したが、無線通信インタフェース８５５は単一のＢＢプロセッサ８５６を含んでもよい。
【０３３０】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０３３１】
また、ＲＲＨ８６０は、接続インタフェース８６１及び無線通信インタフェース８６３を備える。
【０３３２】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０３３３】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図２６に示したように複数のＲＦ回路８６４を含み、複数のＲＦ回路８６４は、例えば複数のアンテナ素子にそれぞれ対応してもよい。なお、図２６には無線通信インタフェース８６３が複数のＲＦ回路８６４を含む例を示したが、無線通信インタフェース８６３は単一のＲＦ回路８６４を含んでもよい。
【０３３４】
図２６に示したｅＮＢ８３０において、図８を参照して説明した上位層処理部１０１、制御部１０３、受信部１０５及び／又は送信部１０７は、無線通信インタフェース８５５、無線通信インタフェース８６３（例えば、ＢＢプロセッサ８５６及び／又はＲＦ回路８６４）、コントローラ８５１及び／又はネットワークインタフェース８５３において実装されてもよい。例えば、無線通信インタフェース８５５、無線通信インタフェース８６３、コントローラ８５１及び／又はネットワークインタフェース８５３は、第一の制御情報及び第二の制御情報を送信したり、制御情報要求を受信して対応する第三の制御情報を送信したりする。例えば、無線通信インタフェース８５５及び／又は無線通信インタフェース８６３に含まれるプロセッサにおいて、これらの動作を行うための機能が実装されてもよい。このような動作を行う装置として、ｅＮＢ８３０、基地局装置８５０又は上記モジュールが提供されてもよく、プロセッサに上記動作を行わせるためのプログラムが提供されてもよい。また、上記プログラムを記録した読み取り可能な記録媒体が提供されてもよい。また、送受信アンテナ１０９は、アンテナ８４０において実装されてもよい。
【０３３５】
＜３．２．端末装置に関する応用例＞
（第１の応用例）
図２７は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０３３６】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０３３７】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０３３８】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図２７に示したように複数のＢＢプロセッサ９１３及び複数のＲＦ回路９１４を含んでもよい。なお、図２７には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０３３９】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０３４０】
アンテナスイッチ９１５の各々は、無線通信インタフェース９１２に含まれる複数の回路（例えば、異なる無線通信方式のための回路）の間でアンテナ９１６の接続先を切り替える。
【０３４１】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図２７に示したように複数のアンテナ９１６を有してもよい。なお、図２７にはスマートフォン９００が複数のアンテナ９１６を有する例を示したが、スマートフォン９００は単一のアンテナ９１６を有してもよい。
【０３４２】
さらに、スマートフォン９００は、無線通信方式ごとにアンテナ９１６を備えてもよい。その場合に、アンテナスイッチ９１５は、スマートフォン９００の構成から省略されてもよい。
【０３４３】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図２７に示したスマートフォン９００の各ブロックへ電力を供給する。補助コントローラ９１９は、例えば、スリープモードにおいて、スマートフォン９００の必要最低限の機能を動作させる。
【０３４４】
図２７に示したスマートフォン９００において、図９を参照して説明した上位層処理部２０１、制御部２０３、受信部２０５及び／又は送信部２０７は、無線通信インタフェース９１２（例えば、ＲＦ回路９１４及び／又はＢＢプロセッサ９１３）、プロセッサ９０１、及び／又は補助コントローラ９１９において実装されてもよい。例えば、無線通信インタフェース９１２、プロセッサ９０１、及び／又は補助コントローラ９１９は、第一の制御情報及び第二の制御情報を受信したり、制御情報要求を送信して対応する第三の制御情報を受信したりする。例えば、無線通信インタフェース９１２に含まれるプロセッサにおいて、これらの動作を行うための機能が実装されてもよい。このような動作を行う装置として、スマートフォン９００又は上記モジュールが提供されてもよく、プロセッサに上記動作を行わせるためのプログラムが提供されてもよい。また、上記プログラムを記録した読み取り可能な記録媒体が提供されてもよい。また、送受信アンテナ２０９は、アンテナ９１６において実装されてもよい。
【０３４５】
（第２の応用例）
図２８は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０３４６】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０３４７】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０３４８】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０３４９】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図２８に示したように複数のＢＢプロセッサ９３４及び複数のＲＦ回路９３５を含んでもよい。なお、図２８には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０３５０】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０３５１】
アンテナスイッチ９３６の各々は、無線通信インタフェース９３３に含まれる複数の回路（例えば、異なる無線通信方式のための回路）の間でアンテナ９３７の接続先を切り替える。
【０３５２】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図２８に示したように複数のアンテナ９３７を有してもよい。なお、図２８にはカーナビゲーション装置９２０が複数のアンテナ９３７を有する例を示したが、カーナビゲーション装置９２０は単一のアンテナ９３７を有してもよい。
【０３５３】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０３５４】
バッテリー９３８は、図中に破線で部分的に示した給電ラインを介して、図２８に示したカーナビゲーション装置９２０の各ブロックへ電力を供給する。また、バッテリー９３８は、車両側から給電される電力を蓄積する。
【０３５５】
図２８に示したカーナビゲーション装置９２０において、図９を参照して説明した上位層処理部２０１、制御部２０３、受信部２０５及び／又は送信部２０７は、無線通信インタフェース９３３（例えば、ＲＦ回路９３５及び／又はＢＢプロセッサ９３４）及び／又はプロセッサ９２１において実装されてもよい。例えば、無線通信インタフェース９３３及び／又はプロセッサ９２１は、第一の制御情報及び第二の制御情報を受信したり、制御情報要求を送信して対応する第三の制御情報を受信したりする。例えば、無線通信インタフェース９３３に含まれるプロセッサにおいて、これらの動作を行うための機能が実装されてもよいい。このような動作を行う装置として、カーナビゲーション装置９２０又は上記モジュールが提供されてもよく、プロセッサに上記動作を行わせるためのプログラムが提供されてもよい。また、上記プログラムを記録した読み取り可能な記録媒体が提供されてもよい。また、送受信アンテナ２０９は、アンテナ９３７において実装されてもよい。
【０３５６】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。車両側モジュール９４２は、車速、エンジン回転数又は故障情報などの車両側データを生成し、生成したデータを車載ネットワーク９４１へ出力する。
【０３５７】
＜＜４．まとめ＞＞
以上、図１〜図２８を参照して、本開示の一実施形態について詳細に説明した。上記説明したように、本実施形態に係る基地局装置１は、ひとつ以上の端末装置を含む端末グループに固有の情報を含む第一の制御情報を端末グループへ送信し、端末グループに固有の情報に基づいて第二の制御情報を前記端末グループへ送信する。このように、第一の制御情報及び第二の制御情報が、ひとつ以上の端末装置が属する端末グループへ送信されるので、基地局装置１は、端末グループに共通する制御情報を一度の送信により複数の端末装置２に通知することが可能となる。従って、端末装置２ごとに制御情報を通知する場合と比較して制御情報のオーバヘッドを低減させることが可能となり、且つ、全ての端末装置２に対して同一の制御情報を送信する場合と比較して柔軟な制御を行うことが可能となる。その結果、無線通信システムの伝送効率を向上させることが可能となる。
【０３５８】
また、本実施形態に係る端末装置２は、自身を含むひとつ以上の端末装置が属する端末グループへ送信された、端末グループに固有の情報を含む第一の制御情報を受信し、端末グループへ送信された第二の制御情報を端末グループに固有の情報に基づいて受信する。これにより、端末装置２は、基地局装置１が行う複数の端末装置２に対する柔軟な制御に基づいて動作することが可能となる。
【０３５９】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０３６０】
また、本明細書においてフローチャート及びシーケンス図を用いて説明した処理は、必ずしも図示された順序で実行されなくてもよい。いくつかの処理ステップは、並列的に実行されてもよい。また、追加的な処理ステップが採用されてもよく、一部の処理ステップが省略されてもよい。
【０３６１】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０３６２】
なお、以下のような構成も本開示の技術的範囲に属する。
（１）
ひとつ以上の端末装置を含む端末グループに固有の情報を含む第一の制御情報を前記端末グループへ送信し、前記端末グループに固有の情報に基づいて第二の制御情報を前記端末グループへ送信する送信処理部、
を備える基地局装置。
（２）
前記端末グループには、所定のセルに接続する複数の端末装置の一部が属する、前記（１）に記載の基地局装置。
（３）
前記端末グループに固有の情報は、前記端末グループに属する複数の前記端末装置が受信可能なビームに固有の情報である、前記（１）に記載の基地局装置。
（４）
前記ビームに固有の情報は、前記ビームを用いて送信される同期信号ブロックのインデックスである、前記（３）に記載の基地局装置。
（５）
前記第一の制御情報は、前記第二の制御情報を運ぶ物理チャネルに関する情報を含む、前記（１）〜（４）のいずれか一項に記載の基地局装置。
（６）
前記第二の制御情報を運ぶ物理チャネルは、前記端末グループに固有の情報に基づいて暗号化又は符号化される、前記（１）〜（５）のいずれか一項に記載の基地局装置。
（７）
前記第一の制御情報は、報知チャネルで送信され、前記第二の制御情報は、報知チャネルとは異なる物理チャネルで送信される、前記（１）〜（６）のいずれか一項に記載の基地局装置。
（８）
前記基地局装置は、制御情報を送信するよう要求する制御情報要求を受信する受信処理部をさらに備え、
前記送信処理部は、前記制御情報要求に基づく第三の制御情報を前記制御情報要求の送信元の前記端末装置が属する前記端末グループへ送信する、前記（１）〜（７）のいずれか一項に記載の基地局装置。
（９）
自身を含むひとつ以上の端末装置が属する端末グループへ送信された、前記端末グループに固有の情報を含む第一の制御情報を受信し、前記端末グループへ送信された第二の制御情報を前記端末グループに固有の情報に基づいて受信する受信処理部、
を備える端末装置。
（１０）
前記端末装置は、制御情報を送信するよう要求する制御情報要求を送信する送信処理部をさらに備え、
前記受信処理部は、前記端末グループへ送信される、前記制御情報要求に基づく第三の制御情報を受信する、前記（９）に記載の端末装置。
（１１）
前記送信処理部は、前記端末装置がアイドルモード又はインアクティブモードである場合、ランダムアクセスプリアンブルを送信するための物理チャネルにおいて前記制御情報要求を送信する、前記（１０）に記載の端末装置。
（１２）
前記送信処理部は、要求する制御情報に対応するランダムアクセスプリアンブルを送信する、前記（１１）に記載の端末装置。
（１３）
前記送信処理部は、要求する制御情報に対応するリソースでランダムアクセスプリアンブルを送信する、前記（１１）又は（１２）に記載の端末装置。
（１４）
前記受信処理部は、前記端末グループに固有の情報に基づいて前記第二の制御情報を運ぶ物理チャネルを復号化する、前記（１０）〜（１３）のいずれか一項に記載の端末装置。
（１５）
ひとつ以上の端末装置を含む端末グループに固有の情報を含む第一の制御情報を前記端末グループへ送信することと、
前記端末グループに固有の情報に基づいて第二の制御情報を前記端末グループへ送信することと、
を含む、プロセッサにより実行される方法。
（１６）
自身を含むひとつ以上の端末装置が属する端末グループへ送信された、前記端末グループに固有の情報を含む第一の制御情報を受信することと、
前記端末グループへ送信された第二の制御情報を前記端末グループに固有の情報に基づいて受信することと、
を含む、プロセッサにより実行される方法。
（１７）
コンピュータを、
ひとつ以上の端末装置を含む端末グループに固有の情報を含む第一の制御情報を前記端末グループへ送信し、前記端末グループに固有の情報に基づいて第二の制御情報を前記端末グループへ送信する送信処理部、
として機能させるためのプログラムが記録された記録媒体。
（１８）
コンピュータを、
自身を含むひとつ以上の端末装置が属する端末グループへ送信された、前記端末グループに固有の情報を含む第一の制御情報を受信し、前記端末グループへ送信された第二の制御情報を前記端末グループに固有の情報に基づいて受信する受信処理部、
として機能させるためのプログラムが記録された記録媒体。
【符号の説明】
【０３６３】
１      基地局装置
１０１    上位層処理部
１０３    制御部
１０５    受信部
１０５１    復号化部
１０５３    復調部
１０５５    多重分離部
１０５７    無線受信部
１０５９    チャネル測定部
１０７    送信部
１０７１    符号化部
１０７３    変調部
１０７５    多重部
１０７７    無線送信部
１０７９    下りリンク参照信号生成部
１０９    送受信アンテナ
２      端末装置
２０１    上位層処理部
２０３    制御部
２０５    受信部
２０５１    復号化部
２０５３    復調部
２０５５    多重分離部
２０５７    無線受信部
２０５９    チャネル測定部
２０７    送信部
２０７１    符号化部
２０７３    変調部
２０７５    多重部
２０７７    無線送信部
２０７９    上りリンク参照信号生成部
２０９    送受信アンテナ
【図１】
2018110357.tif 000005
【図２】
2018110357.tif 000006
【図３】
2018110357.tif 000007
【図４】
2018110357.tif 000008
【図５】
2018110357.tif 000009
【図６】
2018110357.tif 000010
【図７】
2018110357.tif 000011
【図８】
2018110357.tif 000012
【図９】
2018110357.tif 000013
【図１０】
2018110357.tif 000014
【図１１】
2018110357.tif 000015
【図１２】
2018110357.tif 000016
【図１３】
2018110357.tif 000017
【図１４】
2018110357.tif 000018
【図１５】
2018110357.tif 000019
【図１６】
2018110357.tif 000020
【図１７】
2018110357.tif 000021
【図１８】
2018110357.tif 000022
【図１９】
2018110357.tif 000023
【図２０】
2018110357.tif 000024
【図２１】
2018110357.tif 000025
【図２２】
2018110357.tif 000026
【図２３】
2018110357.tif 000027
【図２４】
2018110357.tif 000028
【図２５】
2018110357.tif 000029
【図２６】
2018110357.tif 000030
【図２７】
2018110357.tif 000031
【図２８】
2018110357.tif 000032